(57)【特許請求の範囲】
【請求項１】
表示手段と、
ジョブを受け付けることが可能な場合に、前記ジョブを受け付けることが可能なことを示す画面であって、操作者の操作により選択された消耗品に関する情報、及び情報記録材に関する情報のうち少なくとも一方を含む第１の情報と、前記操作者の操作により選択された消耗品に関する情報と情報記録材に関する情報とを含まない画面に対する表示要求の入力を受け付ける第１の釦を含む第１のレディ画面と、
前記第１の釦による表示要求の入力受付後にジョブを受け付けることが可能になった場合に、前記ジョブを受け付けることが可能なことを示す画面であって、前記第１の情報とは異なる前記消耗品に関する情報、及び情報記録材に関する情報のうち少なくとも一方を含む第２の情報に対する表示要求の入力を受け付けるための第２の釦と、当該第２のレディ画面を初めて表示されるデフォルト表示画面として登録するための第３の釦を含み、かつ、前記消耗品に関する情報と情報記録材に関する情報とを含まない第２のレディ画面とを前記表示手段に表示させる表示制御手段と
を備えることを特徴とする画像形成装置。
【請求項２】
請求項１に記載の画像形成装置において、
前記第１の情報は、部門毎の情報記録材の使用枚数に関する情報を少なくとも含むことを特徴とする画像形成装置。
【請求項３】
請求項１に記載の画像形成装置において、
前記第１の情報は、情報記録材のサイズ毎の使用枚数に関する情報を少なくとも含むことを特徴とする画像形成装置。
【請求項４】
請求項１に記載の画像形成装置において、
前記第１の情報は、情報記録材の給紙段毎の使用枚数に関する情報を少なくとも含むことを特徴とする画像形成装置。
【請求項５】
請求項１に記載の画像形成装置において、
前記第１の情報は、情報記録材のカラー印刷／白黒印刷毎の印刷枚数に関する情報を少なくとも含むことを特徴とする画像形成装置。
【請求項６】
表示手段を備えた画像形成装置にインストールされ、前記表示手段にジョブを受け付けることが可能であることを示す複数のレディ画面を表示させる画像形成プログラムであって、
前記画像形成装置のコンピュータに、
ジョブを受け付けることが可能な場合に、前記ジョブを受け付けることが可能なことを示す画面であって、操作者の操作により選択された消耗品に関する情報、及び情報記録材に関する情報のうち少なくとも一方を含む第１の情報と、前記操作者の操作により選択された消耗品に関する情報と情報記録材に関する情報とを含まない画面に対する表示要求の入力を受け付ける第１の釦を含む第１のレディ画面を前記表示手段に表示させる第１の表示制御機能と、
前記第１の釦による表示要求の入力受付後にジョブを受け付けることが可能になった場合に、前記ジョブを受け付けることが可能なことを示す画面であって、前記第１の情報とは異なる前記消耗品に関する情報、及び情報記録材に関する情報のうち少なくとも一方を含む第２の情報に対する表示要求の入力を受け付けるための第２の釦と、当該第２のレディ画面を初めて表示されるデフォルト表示画面として登録するための第３の釦を含み、かつ、前記消耗品に関する情報と情報記録材に関する情報とを含まない第２のレディ画面とを前記表示手段に表示させる第２の表示制御機能と
を実現させることを特徴とする画像形成プログラム。
【請求項７】
請求項６に記載の画像形成プログラムにおいて、
前記第１の情報は、部門毎の情報記録材の使用枚数に関する情報を少なくとも含むことを特徴とする画像形成プログラム。
【請求項８】
請求項６に記載の画像形成プログラムにおいて、
前記第１の情報は、情報記録材のサイズ毎の使用枚数に関する情報を少なくとも含むことを特徴とする画像形成プログラム。
【請求項９】
請求項６に記載の画像形成プログラムにおいて、
前記第１の情報は、情報記録材の給紙段毎の使用枚数に関する情報を少なくとも含むことを特徴とする画像形成プログラム。
【請求項１０】
請求項６に記載の画像形成プログラムにおいて、
前記第１の情報は、情報記録材のカラー印刷／白黒印刷毎の印刷枚数に関する情報を少なくとも含むことを特徴とする画像形成プログラム。
【発明の詳細な説明】
【技術分野】
【０００１】
本発明は、ジョブを受け付けることが可能な場合に、ジョブを受け付けることが可能なことを示すレディ画面上で、トナー、フューザ、ドラム等の消耗品に関する情報や他の情報を、選択可能な状態で表示する画像形成装置及び画像形成プログラムに関する。
【背景技術】
【０００２】
従来、プリント処理等のジョブを受け付けることが可能な場合に、ジョブを受け付けることが可能であることを示すレディ画面上でトナーの残量を表示する画像形成装置が知られている（特許文献１参照）。
【０００３】
【特許文献１】特開平１−１８０３７９号公報
【発明の開示】
【発明が解決しようとする課題】
【０００４】
しかし、かかる画像形成装置では、トナー以外の消耗品に関する情報を、ジョブを受け付けることが可能な場合に、当該ジョブを受け付けることが可能なことを示すレディ画面上で表示させることはできない。
【０００５】
その結果、かかる画像形成装置では、トナー以外の消耗品に関する情報を表示させることができないので、トナー以外の消耗品に関する情報を必要とする操作者に対して不快感を与えてしまう可能性がある。
【０００６】
一方、操作者の中には、一般のユーザーのようにトナー等の消耗品に関する情報を必要としない者も多く含まれていると考えられる。
【０００７】
それゆえに、かかる画像形成装置では、かかる操作者が特に必要としないトナーに関する情報が表示されてしまうので、消耗品に関する情報を必要としない操作者に対しても不快感を与えてしまう可能性がある。
【０００８】
すなわち、かかる画像形成装置では、トナー以外の消耗品に関する情報を表示させることができなかったり、必要のない情報を表示させてしまったりして操作者に対して不快感を与えてしまう可能性がある。
【０００９】
本発明者の画像形成装置に関する考察によれば、操作性を高めることにより操作者に対して与える不快感の軽減を図ることが可能な画像形成装置及び画像形成プログラムに関する産業界の要望が高まっている。
【００１０】
そこで、本発明は、操作者に対して与える不快感の軽減を図ることを可能にする画像形成装置及び画像形成プログラムを提供することを目的とする。
【課題を解決するための手段】
【００１１】
本発明の骨子は、「ジョブを受け付けることが可能な場合に表示されるレディ画面上に表示するデータを選択可能とする」構成により、操作者に対して与える不快感の軽減を図ることを可能にするという効果を達成することにある。
【００１２】
本明細書では、「ジョブ」とは、例えば、印刷要求のあるデータを印刷する印刷処理、コピー要求のある書類等を複製するコピー処理、電子ファイルの形式での取り込み要求のある書類を取り込むスキャナ処理等の種々のジョブを包含する。
【００１３】
また、本明細書では、「情報記録材」とは、例えば普通紙等の紙やＯＨＰフィルムを包含する。
【００１４】
さて、以上のような本発明の骨子は、具体的には以下のような手段を講じることにより実現される。
【００１５】
第１の発明は、画像形成装置であって、表示手段と、ジョブを受け付けることが可能な場合に、前記ジョブを受け付けることが可能なことを示す画面であって、操作者の操作により選択された消耗品に関する情報、及び情報記録材に関する情報のうち少なくとも一方を含む第１の情報と、前記操作者の操作により選択された消耗品に関する情報と情報記録材に関する情報とを含まない画面に対する表示要求の入力を受け付ける第１の釦を含む第１のレディ画面と、前記第１の釦による表示要求の入力受付後にジョブを受け付けることが可能になった場合に、前記ジョブを受け付けることが可能なことを示す画面であって、前記第１の情報とは異なる前記消耗品に関する情報、及び情報記録材に関する情報のうち少なくとも一方を含む第２の情報に対する表示要求の入力を受け付けるための第２の釦と、当該第２のレディ画面を初めて表示されるデフォルト表示画面として登録するための第３の釦を含み、かつ、前記消耗品に関する情報と情報記録材に関する情報とを含まない第２のレディ画面とを前記表示手段に表示させる表示制御手段とを備えることを特徴とする。
【００１６】
ここで、「釦」とは、「操作者の操作によってなされた表示要求、及びデフォルト表示画面への登録要求の入力を受け付けるためのレディ画面上における領域及び物理的に設けられた釦のこと」をいう。
【００１７】
これにより、ジョブを受け付けることが可能な場合に表示手段に表示されるレディ画面上に含まれる情報を選択することができるので、操作性が向上して操作者に対して与える不快感の軽減を図ることが可能となる。
【００１８】
第２の発明は、表示手段を備えた画像形成装置にインストールされ、前記表示手段にジョブを受け付けることが可能であることを示す複数のレディ画面を表示させる画像形成プログラムであって、前記画像形成装置のコンピュータに、ジョブを受け付けることが可能な場合に、前記ジョブを受け付けることが可能なことを示す画面であって、操作者の操作により選択された消耗品に関する情報、及び情報記録材に関する情報のうち少なくとも一方を含む第１の情報と、前記操作者の操作により選択された消耗品に関する情報と情報記録材に関する情報とを含まない画面に対する表示要求の入力を受け付ける第１の釦を含む第１のレディ画面を前記表示手段に表示させる第１の表示制御機能と、前記第１の釦による表示要求の入力受付後にジョブを受け付けることが可能になった場合に、前記ジョブを受け付けることが可能なことを示す画面であって、前記第１の情報とは異なる前記消耗品に関する情報、及び情報記録材に関する情報のうち少なくとも一方を含む第２の情報に対する表示要求の入力を受け付けるための第２の釦と、当該第２のレディ画面を初めて表示されるデフォルト表示画面として登録するための第３の釦を含み、かつ、前記消耗品に関する情報と情報記録材に関する情報とを含まない第２のレディ画面とを前記表示手段に表示させる第２の表示制御機能とを実現させることを特徴とする。
【００１９】
ここで、「釦」とは、「操作者の操作によってなされた表示要求、及びデフォルト表示画面への登録要求の入力を受け付けるためのレディ画面上における領域及び物理的に設けられた釦のこと」をいう。
【００２０】
これにより、ジョブを受け付けることが可能な場合に表示手段に表示されるレディ画面上に含まれる情報を選択することができるので、操作性が向上して操作者に対して与える不快感の軽減を図ることが可能となる。
【００２１】
なお、ここでは、説明の簡略化を図る観点から、本発明のうち「画像形成装置」、及び「画像形成プログラム」として表現された発明のみに関して説明を行ったが、これに限らず、本発明の要旨を変更しない範囲内で「画像形成方法」及び「記録媒体」等の任意のカテゴリーとして表現してもよいことは言うまでもない。
【００２２】
また、上記発明を「方法」として表現する場合には、上記「装置」の発明の説明中における「手段」という文言を「工程」、「段階」、「行程」、又は「ステップ」と言う文言に読み替えるものとする。
【００２３】
更に、上記発明を「記録媒体」として表現する場合には、上記「プログラム」の発明中の「プログラム」という文言を「プログラムを記録したコンピュータ読み取り可能な記録媒体」と言う文言に読み替えるものとする。
【発明の効果】
【００２４】
本発明によれば、ジョブを受け付けることが可能な場合に表示手段に表示されるレディ画面上に含まれる情報を選択することができるので、操作性の向上を図ることができるため、操作者に対して与える不快感の軽減を図ることが可能となる。
【発明を実施するための最良の形態】
【００２５】
以下、本発明の最良の形態に関し、図面を参照して説明する。
【００２６】
図１は、本発明の画像形成装置を適用した複合機１の一例を示す斜視図である。
【００２７】
また、図２は、本発明の画像形成装置を適用した複合機１の構成の一例を示す機能ブロック図である。
【００２８】
本発明に係る画像形成装置を適用した複合機１は、例えばＬＡＮ（Local Area Network）やＷＡＮ（Wide Area Network）等の通信ネットワークを介して図示しない周知のパーソナルコンピュータや、図示しない他の複合機に接続された、ＦＡＸ機能、スキャナ機能、コピー機能、プリンター機能等の種々の機能を備える複合機である。
【００２９】
本実施の形態に係る複合機１は、ジョブを受け付けることが可能な場合に、表示パネルの表示画面（表示手段）１ａ１にジョブを受け付けることが可能であることを示す、後述する複数のレディ画面を表示する複合機である。
【００３０】
本実施の形態に係る複合機１は、図２に示すように、パネル部１ａと、インターフェース部１ｂと、トナー残量検出部１ｃY、１ｃM、１ｃC、１ｃKと、給紙段別カウンタ１ｄ１〜１ｄｎと、給紙段別紙残量検出部１ｅ１〜１ｎと、トナー残量記憶部１ｆと、給紙段別使用枚数記憶部１ｇと、給紙段別残量記憶部１ｈと、ジョブ履歴データ記憶部１ｉと、部門情報記憶部１ｊと、給紙段データ記憶部１ｋと、テンプレートファイル記憶部１ｌと、画像生成部１ｍと、プリンターエンジン部１ｎと、制御部（表示制御手段）１ｏとを備えている。
【００３１】
なお、本実施の形態に係る複合機１は、製造時に図示しない内蔵メモリに画像形成プログラムが書き込まれた、又は記録媒体もしくは通信ネットワークを介して画像形成プログラムがインストールされたコンピュータによって実現される。
【００３２】
また、本実施の形態に係る複合機１を構成する各部は、ソフトウェアもしくはハードウェア又はハードウェアとソフトウェアとの組み合わせのいずれから構成されていてもよいことは言うまでもない。
【００３３】
パネル部１ａは、この複合機本体の電源スイッチを投入した場合に表示され、かつ、ＦＡＸ機能とスキャナ機能とコピー機能とプリンター機能との相互切替え、文書のデータを読み取る際の解像度、作成する文書のデータを含む電子ファイルの形式、画質、読み取り時の濃度、読み取り倍率の設定、及び各モードの設定等を行うためのメニュー画面と、タッチパネル上における操作者の操作によって表示され、かつ、ジョブの実行状態を示すステイタス表示画面と、ジョブを受け付けることが可能な場合に、ジョブを受け付けることが可能なことを示すレディ画面とを表示する表示画面１ａ１（表示手段）を備えている。
【００３４】
本実施の形態に係るパネル部１ａは、メニュー画面表示要求出力機能、ステイタス表示画面表示要求出力機能、他画面表示要求出力機能、及びデフォルト登録要求出力機能を有している。
【００３５】
メニュー画面表示要求出力機能は、表示画面１ａ１（表示手段）にレディ画面（第１のレディ画面）が表示された状態で、このレディ画面上に表示されたメニュー画面の釦に対して操作者が選択操作（ワンタッチ操作）を行うと、この複合機本体の電源スイッチを投入した場合等に表示され、かつ、ＦＡＸ機能とスキャナ機能とコピー機能とプリンター機能との相互切替え、文書のデータを読み取る際の解像度、作成する文書のデータを含む電子ファイルの形式、画質、読み取り時の濃度、読み取り倍率、及び各モードの設定等を行うためのメニュー画面に対する表示要求を制御部１ｏに出力する機能である。
【００３６】
ステイタス表示画面表示要求出力機能は、表示画面１ａ１（表示手段）にレディ画面が表示された状態で、このレディ画面上に表示されたステイタス表示画面の釦に対して操作者が選択操作（ワンタッチ操作）を行うと、実行予定のジョブに関するジョブリストを表示するステイタス表示画面に対する表示要求を制御部１ｏに出力する機能である。
【００３７】
他画面表示要求出力機能は、表示画面１ａ１（表示手段）にレディ画面が表示された状態で、このレディ画面上に表示された画面切替釦（第１の釦又は第２の釦）に対して操作者が選択操作（ワンタッチ操作）を行うと、当該レディ画面に含まれる情報とは異なる情報を含む他のレディ画面に対する表示要求を制御部１ｏに出力する機能である。
【００３８】
デフォルト登録要求出力機能は、表示画面１ａ１（表示手段）にいずれかのレディ画面が表示された状態で、このレディ画面上に表示された登録釦（第３の釦）に対して操作者が選択操作（ワンタッチ操作）を行うと、この表示画面１ａ１に表示中のレディ画面を次にジョブを受け付けることが可能になった場合に、ジョブを受け付けることが可能になった後で初めて表示されるレディ画面であるデフォルト表示画面として登録するための登録要求を制御部１ｏに出力する機能である。
【００３９】
インターフェース部１ｂは、例えばＬＡＮ（Local Area Network）、ＷＡＮ（Wide Area Network）等の通信ネットワークを介して接続された図示しない周知のパーソナルコンピュータや、図示しない他の複合機から送信され、ジョブ毎に割り当てられたジョブＩＤ、及びネットワーク上の端末に割り当てられたマックアドレスを含むヘッダ部分と、ページ記述言語等で記載されたプリントデータ本体とを含むパケットを受信し、受信したパケットのデータのパリティチェック、誤り訂正等の処理を実行した後、受信したパケットに含まれるデータを制御部１ｏに出力する。
【００４０】
トナー残量検出部１ｃY、１ｃM、１ｃC、１ｃKは、ＹＭＣＫ（Yellow/Magenta/Cyan/black）毎のトナーの残量を検出し、検出したトナーの残量のデータに、各トナー残量検出部１ｃＹ〜１ｃＫに割り当てられたトナーセンサＩＤを付加して、トナーの残量とトナーセンサＩＤとの組を制御部１ｏに出力する。
【００４１】
給紙段別カウンタ１ｄ１〜１ｄｎは、給紙段毎に設置されており、給紙段毎の印刷枚数をカウントし、カウントした印刷枚数に各給紙段別カウンタ１ｄ１〜１ｄｎに割り当てられたカウンタ識別ＩＤを付加して、カウントした印刷枚数とカウンタ識別ＩＤとの組を制御部１ｏに出力する。
【００４２】
給紙段別紙残量検出部１ｅ１〜１ｅｎは、給紙段毎に設置されており、給紙段毎の紙の残量に関するデータを検出し、検出した紙の残量に関するデータに給紙段別紙残量検出部１ｅ１〜１ｅｎ毎に割り当てられた紙センサＩＤを付加して、検出した紙の残量と紙センサＩＤとの組を制御部１ｏに出力する。
【００４３】
トナー残量記憶部１ｆには、トナーの残量、トナーセンサＩＤ、及び検出時刻が対応して記憶されている。
【００４４】
給紙段別使用枚数記憶部１ｇには、印刷枚数、カウンタ識別ＩＤ、及び検出時刻が対応して記憶されている。
【００４５】
給紙段別残量記憶部１ｈには、紙の残量、紙センサＩＤ、及び検出時刻が対応して記憶されている。
【００４６】
ジョブ履歴データ記憶部１ｉには、ジョブＩＤ、ジョブの優先度、ジョブの進捗情報、要求元の端末のマックアドレス、カラー印刷／白黒印刷の識別情報、実行開始時刻、実行終了時刻、及び印刷枚数が少なくとも対応して記憶されている。
【００４７】
部門情報記憶部１ｊには、ネットワーク上の端末に個別に割り当てられたマックアドレスと、当該マックアドレスの割り当てられた端末の属する部門とが対応して記憶されている。
【００４８】
給紙段データ記憶部１ｋには、給紙段のデータと用紙サイズのデータとが対応して記憶されている。
【００４９】
テンプレートファイル記憶部１ｌには、表示項目と、表示形式と、表示項目のレイアウトに関するデータと、デフォルト表示画面として登録されているかを示すデフォルト設定の有無情報とが予め定められたメニュー画面、ステイタス表示画面、及びレディ画面のテンプレートファイルが記憶されている。
【００５０】
画像生成部１ｍは、ビットマップデータ生成機能とビットマップデータ出力機能とを有する。
【００５１】
ビットマップデータ生成機能は、制御部１ｏからページ記述言語で記述されたプリントデータを受け取り、受け取ったプリントデータを展開してビットマップのデータを生成する機能である。
【００５２】
ビットマップデータ出力機能は、前述したビットマップデータ生成機能により生成されたビットマップのデータを制御部１ｏに返送する機能である。
【００５３】
プリンターエンジン部１ｎは、画像生成機能、ジョブリスト生成機能、ジョブ開始通知出力機能、及びジョブ終了通知機能を有している。
【００５４】
画像生成機能は、制御部１ｏから受け取ったビットマップのデータに基づいて電子写真方式で画像を顕像化して、顕像化した画像を情報記録材である紙の表面に生成する機能である。
【００５５】
ジョブリスト生成機能は、制御部１ｏから受け取ったデータ内に含まれるジョブの優先度に基づいて、割り込みジョブがあった場合に該当する実行予定のジョブの順序を入れ替えて実行予定のジョブリストを生成して、生成したジョブリストを制御部１ｏに出力する機能である。
【００５６】
ジョブ開始通知出力機能は、ジョブの開始時にジョブの処理を開始したことを示すジョブ開始通知を制御部１ｏに出力する機能である。
【００５７】
ジョブ終了通知機能は、ジョブの終了時にジョブの処理が終了したことを示すジョブ終了通知を制御部１ｏに出力する機能である。
【００５８】
制御部１ｏは、以下の各機能を有しており、本実施の形態に係る複合機１が後述のデフォルト表示画面登録処理と、後述する各レディ画面を表示画面１ａ１に表示させる表示制御処理とを実行するように、パネル部１ａと、インターフェース部１ｂと、トナー残量検出部１ｃY、１ｃM、１ｃC、１ｃKと、給紙段別カウンタ１ｄ１〜１ｄｎと、給紙段別紙残量検出部１ｅ１〜１ｅｎ、トナー残量記憶部１ｆと、給紙段別使用枚数記憶部１ｇと、給紙段別残量記憶部１ｈと、ジョブ履歴データ記憶部１ｉと、部門情報記憶部１ｊと、給紙段データ記憶部１ｋと、テンプレートファイル記憶部１ｌと、画像生成部１ｍと、プリンターエンジン部１ｎとを制御する。
【００５９】
パケットデータ転送機能は、インターフェース部１ｂから受け取ったパケットに含まれるデータを画像生成部１ｍに出力する機能である。
【００６０】
ビットマップデータ転送機能は、画像生成部１ｍから返送されたビットマップのデータをプリンターエンジン部１ｎに出力する機能である。
【００６１】
タイマー機能は、継続的に時刻を計時する機能である。
【００６２】
トナーの残量書き込み機能は、トナー残量検出部１ｃY、１ｃM、１ｃC、１ｃKから出力されたＹＭＣＫ毎のトナーの残量とトナーセンサＩＤとの組を受け取り、受け取ったトナーの残量とトナーセンサＩＤとの組に、受信した時刻を検出時刻のデータとして付加して、トナーの残量とトナーセンサＩＤと検出時刻のデータとの組をトナー残量記憶部１ｆに書き込む機能である。
【００６３】
紙残量書き込み機能は、給紙段別カウンタ１ｄ１〜１ｄｎから出力されたカウント済みの印刷枚数とカウンタ識別ＩＤとの組を受け取り、受け取ったカウント済みの印刷枚数とカウンタ識別ＩＤとに受信時刻のデータを検出時刻として付加して、カウント済みの印刷枚数とカウンタ識別ＩＤと検出時刻のデータとの組を給紙段別残量記憶部１ｈに書き込む機能である。
【００６４】
ジョブリスト書き込み機能は、プリンターエンジン部１ｎから受け取ったジョブリストのデータを受け取り、受け取った実行予定のジョブリストの全データに関して、プリントデータ本体に色情報を含むかに応じて、カラー印刷であるか又は白黒印刷であるかを示すカラー印刷／白黒印刷の識別情報を付加して、カラー印刷／白黒印刷の識別情報を付加した実行予定のジョブリストのデータをジョブ履歴データ記憶部１ｉに書き込む機能である。
【００６５】
第１のジョブ履歴更新機能は、プリンターエンジン部１ｎからジョブの処理を開始したことを示すジョブ開始通知を受け取った場合に、ジョブの実行開始時刻のデータを、ジョブ履歴データ記憶部１ｉに記憶されたジョブ履歴のデータに上書き更新する機能である。
【００６６】
第２のジョブ履歴更新機能は、プリンターエンジン部１ｎからジョブの処理を終了したことを示すジョブ終了通知を受け取った場合に、ジョブの進捗情報を、ジョブが終了したことを示す、例えば「完了済み」に変更して、ジョブ履歴データ記憶部１ｉに記憶されたジョブ履歴のデータを上書き更新する機能である。
【００６７】
第１のジョブ受付判定機能は、ジョブ履歴データ記憶部１ｉを参照して実行中のジョブがあるかにより、ジョブを受け付けることが可能かを判定する機能である。
【００６８】
第１の表示制御機能は、前述した第１のジョブ受付判定機能で実行中のジョブがない、換言すればジョブを受け付けることが可能であると判定された場合に、テンプレートファイル記憶部１ｌのデフォルト設定の有無情報を参照して、ジョブを受け付けることが可能であることを示し、かつ、他の情報を含むレディ画面の表示要求を受け付けるための画面切替釦を含む、予めデフォルト表示画面に設定されたレディ画面のテンプレートファイルをテンプレートファイル記憶部１ｌから読み出し、ジョブを受け付けることが可能であることを示し、かつ、他の情報を含むレディ画面の表示要求を受け付けるための画面切替釦（第１の釦）を含むレディ画面（第１のレディ画面）を表示画面１ａ１（表示手段）に表示させる機能である。
【００６９】
メニュー画面釦選択操作判定機能は、パネル部１ａから出力されたメニュー画面の表示要求を受け取ったかにより、前述した予めデフォルト表示画面に設定されたレディ画面（第１のレディ画面）上でメニュー画面の表示要求の入力を受け付けるためのメニュー画面釦の選択操作（ワンタッチ操作）がなされて、メニュー画面の表示要求の入力を受け付けたかを判定する機能である。
【００７０】
メニュー画面表示制御機能は、前述したメニュー画面釦選択操作判定機能によりメニュー画面の表示要求の入力を受け付けたと判定された場合、メニュー画面のテンプレートファイルをテンプレートファイル記憶部１ｌから読み出し、読み出したメニュー画面のテンプレートファイルを表示画面１ａ１に表示させる機能である。
【００７１】
ステイタス表示画面釦選択操作判定機能は、前述したメニュー画面釦選択操作判定機能によりメニュー画面の表示要求の入力を受け付けていないと判定された場合、パネル部１ａから出力された実行予定のジョブの一覧を示すジョブリストを含むステイタス表示画面の表示要求を受け取ったかにより、前述した予めデフォルト表示画面に設定されたレディ画面（第１のレディ画面）上でステイタス表示画面の表示要求の入力を受け付けるためのステイタス表示画面釦の選択操作（ワンタッチ操作）がなされて、ステイタス表示画面の表示要求の入力を受け付けたかを判定する機能である。
【００７２】
ステイタス表示画面表示制御機能は、前述したステイタス表示画面釦選択操作判定機能によりステイタス表示画面の表示要求の入力を受け付けたと判定された場合、実行予定のジョブを含むジョブリストのデータをジョブ履歴データ記憶部１ｉから読み出し、読み出した実行予定のジョブリストのデータと、テンプレートファイル記憶部１ｌから読み出したステイタス表示画面のデータとを合成して、ジョブリストを含むステイタス表示画面を表示画面１ａ１上に表示させる機能である。
【００７３】
第１の他画面表示釦選択操作判定機能は、前述したステイタス表示画面釦選択操作判定機能によりステイタス表示画面の表示要求の入力を受け付けていないと判定された場合、パネル部１ａから出力された前述したトナーの残量を示すイメージとは異なる情報を含む他のレディ画面の表示要求を受け取ったかにより、他のレディ画面を表示させるための画面切替釦（第２の釦）の選択操作（ワンタッチ操作）が前述したレディ画面上でなされて、前述したトナーの残量を示すイメージとは異なる表示形式の情報を含む他のレディ画面の表示要求の入力を受け付けたかを判定する機能である。
【００７４】
第２の表示制御機能は、前述した第１の他画面表示釦選択操作判定機能により前述したトナーの残量を示すイメージとは表示形式の異なる情報を含む他のレディ画面の表示要求の入力を受け付けたと判定された場合、前述したトナーの残量を示すイメージとは表示形式の異なる情報を含む他のレディ画面のテンプレートファイルをテンプレートファイル記憶部１ｌから読み出し、読み出したレディ画面のテンプレートファイルと、トナー残量記憶部１ｆから読み出したトナーの残量を示すデータとを合成して、前述したトナーの残量を示すイメージとは表示形式の異なる情報を含むレディ画面（第２のレディ画面）を表示画面１ａ１（表示手段）に表示させる機能である。
【００７５】
第１の登録釦選択操作判定機能は、パネル部１ａから出力された、トナーの残量を示すイメージを含む表示中のレディ画面（第２のレディ画面）をデフォルト表示画面として登録させるための登録要求を受け取ったかにより、デフォルト表示画面として登録させるための登録釦（第３の釦）の選択操作が前述した他のレディ画面（第２のレディ画面）上でなされてジョブを受け付けることが可能な場合に、ジョブを受け付けることが可能になった後で初めて表示画面１ａ１に表示されるデフォルト表示画面として表示中のレディ画面（第２のレディ画面）を登録させるための登録要求の入力を受け付けたかを判定する機能である。
【００７６】
第１のデフォルト表示画面登録機能は、前述した第１の登録釦選択操作判定機能により、ジョブを受け付けることが可能な場合に、ジョブを受け付けることが可能になった後で初めて表示画面１ａ１に表示されるデフォルト表示画面として表示中のレディ画面（第２のレディ画面）を登録させるための登録要求の入力を受け付けたと判定された場合、トナーの残量を示す第２形式のイメージを含む表示中のレディ画面のテンプレートファイルに関し、デフォルト設定の有無情報を当該レディ画面がデフォルト表示画面に設定されていることを示す「デフォルト設定有り」に設定して、デフォルト表示画面として表示中のレディ画面をテンプレートファイル記憶部１ｌに記憶させる機能である。
【００７７】
第２の他画面表示釦選択操作判定機能は、前述した第１の登録釦選択操作判定機能により、ジョブを受け付けることが可能な場合に、ジョブを受け付けることが可能になった後で初めて表示画面１ａ１に表示されるデフォルト表示画面として表示中のトナーの残量を含むレディ画面（第２のレディ画面）を登録させるための登録要求の入力を受け付けていないと判定された場合、パネル部１ａから出力されたトナーの残量とは異なる情報を含む他のレディ画面の表示要求を受け取ったかにより、トナーの残量とは異なる情報を含む他のレディ画面を表示させるための画面切替釦（第２の釦）の選択操作が表示中のトナーの残量を含むレディ画面上でなされて、トナーの残量とは異なる情報を含む他のレディ画面の表示要求の入力を受け付けたかを判定する機能である。
【００７８】
第３の表示制御機能は、前述した第２の他画面表示釦選択操作判定機能により、トナーの残量とは異なる情報を含む他のレディ画面を表示させるための画面切替釦（第２の釦）の選択操作が表示中のトナーの残量を含むレディ画面上でなされて、トナーの残量とは異なる情報を含む他のレディ画面の表示要求の入力を受け付けたと判定された場合、トナーの残量とは異なる情報を含む他のレディ画面のテンプレートファイルをテンプレートファイル記憶部１ｌから読み出し、読み出したトナーの残量とは異なる情報を含むレディ画面のテンプレートファイルと、給紙段別残量記憶部１ｈから読み出した給紙段毎の紙の残量のデータとを合成して、トナーの残量とは異なる情報である給紙段毎の紙の残量を含むレディ画面を表示画面１ａ１に表示させる機能である。
【００７９】
第２の登録釦選択操作判定機能は、パネル部１ａから出力された給紙段毎の紙の残量を含む表示中のレディ画面をデフォルト表示画面として登録させるための登録要求を受け取ったかにより、デフォルト表示画面として表示中のレディ画面を登録させるための登録釦（第３の釦）の選択操作が給紙段毎の紙の残量を含む表示中のレディ画面上でなされて、デフォルト表示画面として給紙段毎の紙の残量を含む表示中のレディ画面を登録させるための登録要求の入力を受け付けたかを判定する機能である。
【００８０】
第２のデフォルト表示画面登録機能は、前述した第２の登録釦選択操作判定機能により、給紙段毎の紙の残量を含む表示中のレディ画面をデフォルト表示画面として登録させるための登録要求の入力を受け付けたと判定した場合、給紙段毎の紙の残量を含むレディ画面のテンプレートファイルに関し、デフォルト設定の有無情報を当該レディ画面がデフォルト表示画面に設定されていることを示す「デフォルト設定有り」に設定して、給紙段毎の紙の残量を含む表示中のレディ画面をデフォルト表示画面としてテンプレートファイル記憶部１ｌに記憶させる機能である。
【００８１】
第３の他画面表示釦選択操作判定機能は、前述した第２の登録釦選択操作判定機能によりデフォルト表示画面として表示中の給紙段毎の紙の残量を含むレディ画面を登録させるための登録要求の入力を受け付けていないと判定された場合、パネル部１ａから出力された給紙段毎の紙の残量とは異なる情報を含む他のレディ画面の表示要求を受け取ったかにより、他のレディ画面を表示させるための画面切替釦（第２の釦）の選択操作が前述した給紙段毎の紙の残量を含むレディ画面上でなされて、給紙段毎の紙の残量とは異なる情報を含む他のレディ画面の表示要求の入力を受け付けたかを判定する機能である。
【００８２】
第４の表示制御機能は、前述した第３の他画面表示釦選択操作判定機能により給紙段毎の紙の残量とは異なる情報を含む他のレディ画面の表示要求の入力を受け付けたと判定された場合、現在時刻以前の実行済みジョブに関するデータをジョブ履歴データ記憶部１ｉから全て読み出し、部門情報記憶部１ｊに記憶されたマックアドレスに対応する部門毎に、ジョブ履歴データ記憶部１ｉから読み出した実行済みの全ジョブのデータを再集計して、再集計の結果、得られた部門毎の紙の使用枚数のデータと、テンプレートファイル記憶部１ｌから読み出したレディ画面のテンプレートファイルとを合成して、部門毎の紙の使用枚数を含むレディ画面を表示画面１ａ１に表示させる機能である。
【００８３】
第３の登録釦選択操作判定機能は、パネル部１ａから出力された表示中の部門毎の紙の使用枚数を含むレディ画面をデフォルト表示画面として登録させるための登録要求を受け取ったかにより、当該部門毎の紙の使用枚数を含むレディ画面をデフォルト表示画面として登録させるための登録釦（第３の釦）の選択操作が部門毎の紙の使用枚数を含むレディ画面上でなされて、当該部門毎の紙の使用枚数を含むレディ画面をデフォルト表示画面として登録させるための登録要求の入力を受け付けたかを判定する機能である。
【００８４】
第３のデフォルト表示画面登録機能は、前述した第３の登録釦選択操作判定機能により部門毎の紙の使用枚数を含むレディ画面をデフォルト表示画面として登録させるための登録要求の入力を受け付けたと判定された場合、部門毎の紙の使用枚数を含むレディ画面のテンプレートファイルに関し、デフォルト設定の有無情報を当該レディ画面がデフォルト表示画面に設定されていることを示す「デフォルト設定有り」に設定して、部門毎の紙の使用枚数を含む表示中のレディ画面をデフォルト表示画面としてテンプレートファイル記憶部１ｌに記憶させる機能である。
【００８５】
第４の他画面表示釦選択操作判定機能は、前述した第３の登録釦選択操作判定機能により、部門毎の紙の使用枚数を含むレディ画面をデフォルト表示画面として登録させるための登録要求の入力を受け付けていないと判定された場合、パネル部１ａから出力された部門毎の紙の使用枚数とは異なる情報を含む他のレディ画面の表示要求を受け取ったかにより、部門毎の紙の使用枚数とは異なる情報を含む他のレディ画面を表示させるための画面切替釦（第２の釦）の選択操作が前述した部門毎の紙の使用枚数を含むレディ画面上でなされて、部門毎の紙の使用枚数とは異なる情報を含む他のレディ画面の表示要求の入力を受け付けたかを判定する機能である。
【００８６】
第５の表示制御機能は、前述した第４の他画面表示釦選択操作判定機能により部門毎の紙の使用枚数とは異なる情報を含む他のレディ画面の表示要求の入力を受け付けたと判定された場合、給紙段別使用枚数記憶部１ｇから給紙段毎の紙の使用枚数のデータを読み出した後、給紙段データ記憶部１ｋのデータを参照して、給紙段のデータを給紙段に対応する用紙サイズのデータに変換し、しかる後、テンプレートファイル記憶部１ｌから読み出したレディ画面のテンプレートファイルと用紙サイズ毎の紙の使用枚数のデータとを合成して、部門毎の紙の使用枚数とは異なる用紙サイズ毎の紙の使用枚数を含むレディ画面を表示画面１ａ１に表示させる機能である。
【００８７】
第４の登録釦選択操作判定機能は、パネル部１ａから出力された表示中の用紙サイズ毎の紙の使用枚数を含むレディ画面をデフォルト表示画面として登録させるための登録要求を受け取ったかにより、デフォルト表示画面として当該用紙サイズ毎の紙の使用枚数を含むレディ画面を登録させるための登録釦（第３の釦）の選択操作が用紙サイズ毎の紙の使用枚数を含むレディ画面上でなされて、用紙サイズ毎の紙の使用枚数を含むレディ画面をデフォルト表示画面として登録させるための登録要求の入力を受け付けたかを判定する機能である。
【００８８】
第４のデフォルト表示画面登録機能は、前述した第４の登録釦選択操作判定機能により、用紙サイズ毎の紙の使用枚数を含む表示中のレディ画面をデフォルト表示画面として登録させるための登録要求の入力を受け付けたと判定された場合、用紙サイズ毎の紙の使用枚数を含むレディ画面のテンプレートファイルに関し、デフォルト設定の有無情報を当該レディ画面がデフォルト表示画面に設定されていることを示す「デフォルト設定有り」に設定して、用紙サイズ毎の紙の使用枚数を含む表示中のレディ画面をデフォルト表示画面としてテンプレートファイル記憶部１ｌに記憶させる機能である。
【００８９】
第５の他画面表示釦選択操作判定機能は、前述した第４の登録釦選択操作判定機能により用紙サイズ毎の紙の使用枚数を含むレディ画面をデフォルト表示画面として登録させるための登録要求の入力を受け付けていないと判定された場合、パネル部１ａから出力された用紙サイズ毎の紙の使用枚数とは異なる情報を含む他のレディ画面の表示要求を受け取ったかにより、用紙サイズ毎の紙の使用枚数とは異なる情報を含む他のレディ画面を表示させるための画面切替釦（第２の釦）の選択操作が前述した用紙サイズ毎の紙の使用枚数を含むレディ画面上でなされて、用紙サイズ毎の紙の使用枚数とは異なる情報を含む他のレディ画面の表示要求の入力を受け付けたかを判定する機能である。
【００９０】
第６の表示制御機能は、前述した第５の他画面表示釦選択操作判定機能により、用紙サイズ毎の紙の使用枚数とは異なる情報を含む他のレディ画面の表示要求の入力を受け付けたと判定された場合、用紙サイズ毎の紙の使用枚数とは異なる情報を含むレディ画面のテンプレートファイルをテンプレートファイル記憶部１ｌから読み出し、読み出したレディ画面のテンプレートファイルと、給紙段別使用枚数記憶部１ｇから読み出した給紙段毎の紙の使用枚数のデータとを合成して、給紙段毎の紙の使用枚数を含むレディ画面を表示画面１ａ１に表示させる機能である。
【００９１】
第５の登録釦選択操作判定機能は、パネル部１ａから出力された給紙段毎の紙の使用枚数を含む表示中のレディ画面をデフォルト表示画面として登録させるための登録要求を受け取ったかにより、デフォルト表示画面として登録させるための登録釦（第３の釦）の選択操作が前述した給紙段毎の紙の使用枚数を含むレディ画面上でなされて、当該給紙段毎の紙の使用枚数を含むレディ画面をデフォルト表示画面として登録するための登録要求の入力を受け付けたかを判定する機能である。
【００９２】
第５のデフォルト表示画面登録機能は、前述した第５の登録釦選択操作判定機能により給紙段毎の紙の使用枚数を含むレディ画面をデフォルト表示画面として登録するための登録要求の入力を受け付けたと判定された場合、給紙段毎の紙の使用枚数を含むレディ画面のテンプレートファイルに関し、デフォルト設定の有無情報を当該レディ画面がデフォルト表示画面に設定されていることを示す「デフォルト設定有り」に設定して、給紙段毎の紙の使用枚数を含む表示中のレディ画面をデフォルト表示画面としてテンプレートファイル記憶部１ｌに記憶させる機能である。
【００９３】
第６の他画面表示釦選択操作判定機能は、前述した第５のデフォルト表示画面登録要求判定機能により、給紙段毎の紙の使用枚数を含むレディ画面をデフォルト表示画面として登録するための登録要求の入力を受け付けていないと判定された場合、給紙段毎の紙の使用枚数とは異なる情報を含む他のレディ画面を表示させるための画面切替釦（第２の釦）の選択操作が前述した給紙段毎の紙の使用枚数を含むレディ画面上でなされて、給紙段毎の紙の使用枚数とは異なる情報を含むレディ画面の表示要求の入力を受け付けたかを判定する機能である。
【００９４】
第７の表示制御機能は、前述した第６の他画面表示釦選択操作判定機能により、給紙段毎の紙の使用枚数とは異なる情報を含むレディ画面の表示要求を受け付けたと判定された場合、現在時刻以前の実行済みジョブのデータをジョブ履歴データ記憶部１ｉから全て読み出し、読み出した全ジョブのデータをカラー印刷／白黒印刷毎に定められた識別情報に応じて再集計し、再集計の結果、得られたカラー印刷／白黒印刷毎の紙の印字枚数のデータと、テンプレートファイル記憶部１ｌから読み出した給紙段毎の紙の使用枚数とは異なる情報を含む他のレディ画面のテンプレートファイルとを合成して、カラー印刷／白黒印刷毎の紙の印字枚数を含むレディ画面を表示画面１ａ１に表示させる機能である。
【００９５】
第６の登録釦選択操作判定機能は、パネル部１ａから出力されたカラー印刷／白黒印刷毎の紙の印字枚数を含む表示中のレディ画面をデフォルト表示画面として登録させるための登録要求を受け取ったかにより、デフォルト表示画面としてカラー印刷／白黒印刷毎の紙の印字枚数を含むレディ画面を登録させるための登録釦（第３の釦）の選択操作がカラー印刷／白黒印刷毎の紙の印字枚数を含む表示中のレディ画面上でなされて、カラー印刷／白黒印刷毎の紙の印字枚数を含む表示中のレディ画面をデフォルト表示画面として登録するための登録要求の入力を受け付けたかを判定する機能である。
【００９６】
第６のデフォルト表示画面登録機能は、前述した第６の登録釦選択操作判定機能により、カラー印刷／白黒印刷毎の紙の印字枚数を含む表示中のレディ画面をデフォルト表示画面として登録するための登録要求の入力を受け付けたと判定された場合、カラー印刷／白黒印刷毎の紙の印字枚数を含むレディ画面のテンプレートファイルに関し、デフォルト設定の有無情報を当該レディ画面がデフォルト表示画面に設定されていることを示す「デフォルト設定有り」に設定して、カラー印刷／白黒印刷毎の紙の印字枚数を含む表示中のレディ画面をデフォルト表示画面としてテンプレートファイル記憶部１ｌに記憶させる機能である。
【００９７】
第７の他画面表示釦選択操作判定機能は、前述した第６の登録釦選択操作判定機能により、カラー印刷／白黒印刷毎の紙の印字枚数を含む表示中のレディ画面をデフォルト表示画面として登録するための登録要求の入力が受け付けられていないと判定された場合、パネル部１ａから出力された消耗品であるトナーに関する情報、及び情報記録材である紙、ＯＨＰフィルム等に関する情報をいずれも含まないレディ画面を表示させるための表示要求を受け取ったかにより、消耗品に関する情報及び情報記録材に関する情報をいずれも含まないレディ画面を表示させるための画面切替釦（第２の釦）の選択操作がカラー印刷／白黒印刷毎の紙の印字枚数を含む表示中のレディ画面上でなされて、消耗品に関する情報及び情報記録材に関する情報をいずれも含まないレディ画面を表示させるための表示要求の入力を受け付けたかを判定する機能である。
【００９８】
第８の表示制御機能は、前述した第７の他画面表示釦選択操作判定機能により、消耗品に関する情報及び情報記録材に関する情報をいずれも含まないレディ画面を表示させるための表示要求の入力を受け付けたと判定された場合、消耗品に関する情報及び情報記録材に関する情報をいずれも含まないレディ画面のテンプレートファイルをテンプレートファイル記憶部１ｌから読み出し、消耗品に関する情報及び情報記録材に関する情報を含むレディ画面を表示させる表示要求の入力を受け付けるための画面切替釦（第２の釦）を含み、かつ、消耗品に関する情報及び情報記録材に関する情報をいずれも含まないレディ画面（以下、コンテンツ無し画面と称する。）を表示画面１ａ１に表示させる機能である。
【００９９】
第７の登録釦選択操作判定機能は、パネル部１ａから出力された前述のコンテンツ無し画面をデフォルト表示画面として登録させるための登録要求を受け取ったかにより、消耗品に関する情報及び情報記録材に関する情報を含むレディ画面の表示要求の入力を受け付ける画面切替釦（第２の釦）を含み、かつ、消耗品に関する情報及び情報記録材に関する情報をいずれも含まないコンテンツ無し画面をデフォルト表示画面として登録させるための登録釦（第３の釦）の選択操作が前述したコンテンツ無し画面上でなされて、前述したコンテンツ無し画面をデフォルト表示画面として登録させるための登録要求の入力を受け付けたかを判定する機能である。
【０１００】
第７のデフォルト表示画面登録機能は、前述した第７の登録釦選択操作判定機能により、表示中のコンテンツ無し画面をデフォルト表示画面として登録させるための登録要求の入力を受け付けたと判定した場合、コンテンツ無し画面のデータに関し、デフォルト設定の有無情報を当該レディ画面であるコンテンツ無し画面がデフォルト表示画面に設定されていることを示す「デフォルト設定有り」に設定して、当該コンテンツ無し画面をデフォルト表示画面としてテンプレートファイル記憶部１ｌに記憶させる機能である。
【０１０１】
第８の他画面表示釦選択操作判定機能は、前述した第７の登録釦選択操作判定機能により、前述したコンテンツ無し画面をデフォルト表示画面として登録させるための登録要求の入力を受け付けていないと判定された場合に、パネル部１ａから出力された消耗品に関する情報及び情報記録材に関する情報を含むレディ画面を表示させるための表示要求を受け取ったかにより、消耗品に関する情報及び情報記録材に関する情報を含む他のレディ画面を表示させるための画面切替釦（第２の釦）の選択操作が前述したコンテンツ無し画面上でなされて、消耗品に関する情報及び情報記録材に関する情報を含む他のレディ画面を表示させるための表示要求の入力を受け付けたかを判定する機能である。
【０１０２】
第９の表示制御機能は、前述した第８の他画面表示釦選択操作判定機能により、消耗品に関する情報及び情報記録材に関する情報を含む他のレディ画面を表示させるための表示要求の入力を受け付けたと判定された場合に、消耗品に関する情報及び情報記録材に関する情報を含むレディ画面をデフォルト表示画面として登録するための登録釦と、最初に表示した第１の形式のトナーの残量を示すイメージを含むレディ画面を表示させるための画面切替釦とを含むレディ画面のテンプレートファイルをテンプレートファイル記憶部１ｌから読み出し、読み出したトナーの残量を示すイメージを含むレディ画面を表示画面１ａ１に表示させる機能である。
【０１０３】
第８の登録釦選択操作判定機能は、パネル部１ａから出力された消耗品に関する情報及び情報記録材に関する情報を含む表示中のレディ画面をデフォルト表示画面として登録させるための登録要求を受け取ったかにより、消耗品に関する情報及び情報記録材に関する情報を含む表示中のレディ画面をデフォルト表示画面として登録させるための登録要求の入力を受け付ける登録釦（第３の釦）の選択操作が消耗品に関する情報及び情報記録材に関する情報を含む表示中のレディ画面上でなされて、消耗品に関する情報及び情報記録材に関する情報を含む表示中のレディ画面をデフォルト表示画面として登録するための登録要求の入力を受け付けたかを判定する機能である。
【０１０４】
第８のデフォルト表示画面登録機能は、前述した第８の登録釦選択操作判定機能により、消耗品に関する情報及び情報記録材に関する情報を含む表示中のレディ画面をデフォルト表示画面として登録するための登録要求の入力を受け付けたと判定された場合、消耗品に関する情報及び情報記録材に関する情報を含む表示中のレディ画面のテンプレートファイルに関し、デフォルト設定の有無情報を当該レディ画面がデフォルト表示画面に設定されていることを示す「デフォルト設定有り」に設定して、消耗品に関する情報及び情報記録材に関する情報を含む表示中のレディ画面をデフォルト表示画面としてテンプレートファイル記憶部１ｌに記憶させる機能である。
【０１０５】
第９の他画面表示釦選択操作判定機能は、前述した第８の登録釦選択操作判定機能により、消耗品に関する情報及び情報記録材に関する情報を含む表示中のレディ画面をデフォルト表示画面として登録するための登録要求の入力を受け付けていないと判定された場合、パネル部１ａから出力されたトナーの残量の第１形式のイメージを含むレディ画面の表示要求を受け取ったかにより、最初に表示した第１の形式のトナーの残量を示すイメージを含むレディ画面を表示させるための画面切替釦（第２の釦）の選択操作が消耗品に関する情報及び情報記録材に関する情報を含む前述したレディ画面上でなされて、前述したトナーの残量の第１形式のイメージを含むレディ画面の表示要求の入力を受け付けたかを判定する機能である。
【０１０６】
第１０の表示制御機能は、前述した第９の他画面表示釦選択操作判定機能によりトナーの残量の第１形式のイメージを含むレディ画面の表示要求の入力を受け付けたと判定された場合には、前述したトナーの残量の第１形式のイメージを含むレディ画面のテンプレートファイルをテンプレートファイル記憶部１ｌから読み出し、トナーの残量の第１形式のイメージを含む前述したレディ画面を表示画面１ａ１（表示手段）に表示させる機能である。
【０１０７】
デフォルト登録完了判定機能は、前述した第９の他画面表示釦選択操作判定機能により、前述したトナーの残量の第１形式のイメージを含むレディ画面の表示要求の入力を受け付けていないと判定された場合に、前述したテンプレートファイル記憶部１ｌに記憶された各レディ画面に付与されたデフォルト設定の有無情報を参照して、テンプレートファイル記憶部１ｌに記憶された各レディ画面のうち、いずれかのレディ画面がすでにデフォルト表示画面として登録済みであるかを判定する機能である。
【０１０８】
第２のジョブ受付判定機能は、前述したデフォルト登録完了判定機能により、いずれかのレディ画面がすでにデフォルト表示画面として登録済みであると判定された場合に、実行中のジョブがあるかにより、ジョブを受け付けることが可能かを判定する機能である。
【０１０９】
登録済み画面表示制御機能は、前述した第２のジョブ受付判定機能によりジョブを受け付けることが可能であると判定された場合に、デフォルト設定の有無情報を参照して、デフォルト表示画面として登録済のレディ画面のテンプレートファイルをテンプレートファイル記憶部１ｌから読み出し、読み出したデフォルト表示画面として登録済のレディ画面を表示画面１ａ１に表示させる機能である。
【０１１０】
なお、本実施の形態に係る複合機１では、トナー残量記憶部１ｆ、給紙段別使用枚数記憶部１ｇ、給紙段別残量記憶部１ｈ、ジョブ履歴データ記憶部１ｉ、部門情報記憶部１ｊ、給紙データ記憶部１ｋ、テンプレートファイル記憶部を個別のブロックとして設けているが、制御部１ｏの内臓するキャッシュ内や複合機１内部のバッファ内、もしくは半導体フラッシュメモリ、複合機１内又はネットワークを介して接続された複合機１外部の外部記憶装置に単一の構成として設けてもよいことは言うまでもない。
【０１１１】
次に、以上のように構成された複合機１の実行する実行処理に関して図面を参照して説明する。
【０１１２】
図３Ａ及び図３Ｂは、本実施の形態に係る複合機１の実行する実行処理に関して説明するためのフローチャートである。
【０１１３】
本実施の形態に係る複合機１の図示しない電源投入スイッチが投入されて、ＦＡＸ機能とスキャナ機能とコピー機能とプリンター機能との相互の切替え、文書のデータを読み取る際の解像度、作成する文書のデータを含む電子ファイルの形式、画質、読み取り時の濃度、読み取り倍率の設定、及び各モードの設定等を行うためのメニュー画面が表示されると、本実施の形態に係る複合機１のコンピュータにインストールされた画像形成プログラムが起動して以下の処理を実行する。
【０１１４】
なお、以下の説明では、本実施に係る複合機１では、電源投入後、トナー残量検出部１ｃＹ、１ｃＭ、１ｃＣ、１ｃＫによって継続して検出されているＹＭＣＫ（Yellow/Magenta/Cyan/black）毎のトナーの残量のデータがトナー残量記憶部１ｆに順次記憶されているものとする。
【０１１５】
また、本実施に係る複合機１では、電源投入後、給紙段別カウンタ１ｄ１〜１ｄｎによって継続して検出されている給紙段毎の紙の使用枚数のデータが給紙段別使用枚数記憶部１ｇに順次記憶されているものとする。
【０１１６】
更に、本実施に係る複合機１では、電源投入後、給紙段別紙残量検出部１ｅ１〜１ｅｎによって継続して検出されている紙の残量のデータが給紙段別残量記憶部１ｈに順次記憶されているものとする。
【０１１７】
また、本実施の形態に係る複合機１では、電源投入後、継続して検出されている実行予定のジョブに関するデータがジョブ履歴データ記憶部１ｉに順次記憶されているものとする。
【０１１８】
まず、工程ＳＴ１では、制御部１ｏは、ジョブ履歴データ記憶部１ｉを参照して実行中のジョブがあるかにより、ジョブを受け付けることが可能かを判定する。
【０１１９】
制御部１ｏは、前述した工程ＳＴ１で実行中のジョブがない、換言すればジョブを受け付けることが可能であると判定された場合（ＳＴ１：Ｙｅｓ）には、テンプレートファイル記憶部１ｌのデフォルト設定の有無情報を参照して、予めデフォルト表示画面に設定されたレディ画面のテンプレートファイルをテンプレートファイル記憶部１ｌから読み出し、ジョブを受け付けることが可能であることを示し、かつ、トナーの残量を示す第１のイメージとは異なる他の情報を含むレディ画面の表示要求を受け付けるための画面切替釦（第１の釦）を含むレディ画面（第１のレディ画面）を表示画面１ａ１（表示手段）に表示させる（ＳＴ２）。
【０１２０】
一方、制御部１ｏは、前述した工程ＳＴ１で実行中のジョブが存在する、換言すれば新規でジョブを受け付けることが不可能であると判定された場合（ＳＴ１：Ｎｏ）には、実行中のジョブを実行処理が終了するまで継続的に実行する（ＳＴ３）。
【０１２１】
図４は、本実施の形態に係る複合機１の表示画面１ａ１に表示されるトナーの残量を示す第１のイメージを含むデフォルト表示画面に設定する前のレディ画面の一例を示す模式図である。
【０１２２】
このレディ画面（第１のレディ画面）は、図４に示すように、表示している画面がレディ画面であることを示す「Ｒｅａｄｙ to ｐｒｉｎｔ．」というメッセージと、デフォルトで設定されている紙のサイズと、デフォルトで設定されている紙の種別と、トナーの残量を示す第１のイメージと、選択操作がこのレディ画面（第１のレディ画面）上でなされ、かつ、メニュー画面の表示要求の入力を受け付けるためのメニュー画面釦と、選択操作がこのレディ画面（第１のレディ画面）上でなされ、かつ、実行予定のジョブリストを含むステイタス表示画面を表示させるための表示要求の入力を受け付けるためのステイタス表示画面釦と、選択操作が当該レディ画面上でなされ、かつ、当該レディ画面に含まれるトナーの残量を表示するイメージとは異なる情報を含む他のレディ画面を表示させるための表示要求の入力を受け付けるための画面切替釦（第１の釦）とを含んでいる。
【０１２３】
なお、本実施の形態に係る複合機１の表示画面１ａ１に表示するレディ画面では、トナーの残量を示す第１のイメージに加えて紙の使用枚数に関するデータを更に表示させてもよいことは言うまでもない。
【０１２４】
工程ＳＴ４では、制御部１ｏは、パネル部１ａから出力されたメニュー画面の表示要求を受け取ったかにより、メニュー画面の表示要求の入力を受け付けるためのメニュー画面釦の選択操作（ワンタッチ操作）が前述した予めデフォルト表示画面に設定されたレディ画面（第１のレディ画面）上でなされて、メニュー画面の表示要求の入力を受け付けたかを判定する。
【０１２５】
制御部１ｏは、前述した工程ＳＴ４でメニュー画面の表示要求の入力を受け付けたと判定された場合（ＳＴ４：Ｙｅｓ）、メニュー画面のテンプレートファイルをテンプレートファイル記憶部１ｌから読み出し、読み出したメニュー画面のテンプレートファイルを表示画面１ａ１に表示させた後（ＳＴ５）、処理を終了する。
【０１２６】
一方、制御部１ｏは、前述した工程ＳＴ４でメニュー画面の表示要求の入力を受け付けていないと判定された場合（ＳＴ４：Ｎｏ）、パネル部１ａから出力された実行予定のジョブの一覧を示すジョブリストを含むステイタス表示画面の表示要求を受け取ったかにより、ステイタス表示画面の表示要求の入力を受け付けるためのステイタス表示画面釦の選択操作（ワンタッチ操作）が前述した予めデフォルト表示画面に設定されたレディ画面（第１のレディ画面）上でなされて、ステイタス表示画面の表示要求の入力を受け付けたかを判定する（ＳＴ６）。
【０１２７】
制御部１ｏは、前述した工程ＳＴ６でステイタス表示画面の表示要求の入力を受け付けたと判定された場合（ＳＴ６：Ｙｅｓ）、実行予定のジョブを含むジョブリストのデータをジョブ履歴データ記憶部１ｉから読み出し、読み出した実行予定のジョブリストのデータと、テンプレートファイル記憶部１ｌから読み出したステイタス表示画面のデータとを合成して、ジョブリストを含むステイタス表示画面を表示画面１ａ１上に表示させた後（ＳＴ７）、処理を終了する。
【０１２８】
制御部１ｏは、前述した工程ＳＴ６でステイタス表示画面の表示要求の入力を受け付けていないと判定された場合（ＳＴ６：Ｎｏ）、パネル部１ａから出力された前述したトナーの残量を示す第１のイメージとは異なる情報であるトナーの残量を示す第２のイメージを含む他のレディ画面の表示要求を受け取ったかにより、他のレディ画面を表示させるための画面切替釦（第１の釦）の選択操作（ワンタッチ操作）が前述したトナーの残量を示す第１のイメージを含むレディ画面上でなされて、前述したトナーの残量を示す第１のイメージとは異なる情報である第２のイメージを含むレディ画面の表示要求の入力を受け付けたかを判定する（ＳＴ８）。
【０１２９】
制御部１ｏは、前述した工程ＳＴ８で前述したトナーの残量を示す第１のイメージとは異なる情報であるトナーの残量を示す第２のイメージを含むレディ画面の表示要求の入力を受け付けたと判定された場合（ＳＴ８：Ｙｅｓ）、前述したトナーの残量を示す第２のイメージを含むレディ画面のテンプレートファイルをテンプレートファイル記憶部１ｌから読み出し、読み出したレディ画面のテンプレートファイルと、トナー残量記憶部１ｆから読み出したトナーの残量を示すデータとを合成して、前述したトナーの残量を示す第１のイメージとは異なる情報であるトナーの残量を示す第２のイメージを含むレディ画面（第２のレディ画面）を表示画面１ａ１に表示させる（ＳＴ９）。
【０１３０】
一方、制御部１ｏは、前述した工程ＳＴ８で前述したトナーの残量を示す第１のイメージとは異なる情報である第２のイメージを含むレディ画面の表示要求の入力を受け付けていないと判定された場合（ＳＴ８：Ｎｏ）、トナーの残量を示す第１のイメージとは異なる情報であるトナーの残量を示す第２のイメージを含むレディ画面の表示要求の入力を受け付けているかに関する判定処理を繰り返す。
【０１３１】
図５は、本実施の形態に係る複合機１の表示画面１ａ１に表示されるトナーの残量を示す第２のイメージを含むデフォルト表示画面に設定する前のレディ画面の一例を示す模式図である。
【０１３２】
このレディ画面は、図５に示すように、表示している画面がレディ画面であることを示す「Ｒｅａｄｙ to ｐｒｉｎｔ．」というメッセージと、トナーの残量を示す第２のイメージと、選択操作が当該レディ画面上でなされて表示中のレディ画面をジョブを受け付けることが可能な場合に、ジョブを受け付けることが可能になった後で初めて表示するデフォルト表示画面として登録させるための登録要求の入力を受け付ける登録釦（第３の釦）と、選択操作が当該レディ画面上でなされて、トナーの残量を示す第２のイメージとは異なる情報を含む他のレディ画面を表示させるための表示要求の入力を受け付ける画面切替釦（第２の釦）とを含んでいる。
【０１３３】
なお、本実施の形態に係る複合機１の表示画面１ａ１に表示するレディ画面では、トナーの残量を示す第２のイメージに加えて紙の使用枚数に関するデータを更に表示させてもよいことは言うまでもない。
【０１３４】
工程ＳＴ１０では、制御部１ｏは、パネル部１ａから出力されたトナーの残量を示す第２のイメージを含む表示中のレディ画面（第２のレディ画面）をデフォルト表示画面として登録させるための登録要求を受け取ったかにより、デフォルト表示画面として登録させるための登録釦（第３の釦）の選択操作が前述したトナーの残量を示す第２のイメージを含むレディ画面（第２のレディ画面）上でなされて、トナーの残量を示す第２のイメージを含む表示中のレディ画面（第２のレディ画面）をジョブを受け付けることが可能な場合に、ジョブを受け付けることが可能になった後で初めて表示画面１ａ１に表示されるデフォルト表示画面として登録させるための登録要求の入力を受け付けたかを判定する。
【０１３５】
制御部１ｏは、前述した工程ＳＴ１０で、表示中のレディ画面（第２のレディ画面）をジョブを受け付けることが可能な場合に、ジョブを受け付けることが可能になった後で初めて表示画面１ａ１に表示されるデフォルト表示画面として登録させるための登録要求の入力を受け付けたと判定された場合（ＳＴ１０：Ｙｅｓ）、トナーの残量を示す第２のイメージを含むレディ画面のテンプレートファイルに関し、デフォルト設定の有無情報を当該レディ画面がデフォルト表示画面に設定されていることを示す「デフォルト設定有り」に設定して、表示中のレディ画面をデフォルト表示画面として、テンプレートファイル記憶部１ｌに記憶させる（ＳＴ１１）。
【０１３６】
制御部１ｏは、前述した工程ＳＴ１０で、表示中のトナーの残量を示す第２のイメージを含むレディ画面（第２のレディ画面）を、ジョブを受け付けることが可能な場合に、ジョブを受け付けることが可能になった後で初めて表示画面１ａ１に表示されるデフォルト表示画面として登録させるための登録要求の入力を受け付けていないと判定された場合（ＳＴ１０：Ｎｏ）、パネル部１ａから出力されたトナーの残量を示す第２のイメージとは異なる情報を含む他のレディ画面の表示要求を受け取ったかにより、トナーの残量とは異なる情報を含む他のレディ画面を表示させるための画面切替釦（第２の釦）の選択操作が表示中のトナーの残量を示す第２のイメージを含むレディ画面上でなされて、トナーの残量とは異なる情報を含む他のレディ画面の表示要求の入力を受け付けたかを判定する（ＳＴ１２）。
【０１３７】
制御部１ｏは、前述した工程ＳＴ１２で、トナーの残量とは異なる情報を含む他のレディ画面の表示要求の入力を受け付けたと判定された場合（ＳＴ１２：Ｙｅｓ）、トナーの残量とは異なる情報を含む他のレディ画面のテンプレートファイルをテンプレートファイル記憶部１ｌから読み出し、読み出したレディ画面のテンプレートファイルと、給紙段別残量記憶部１ｈから読み出した給紙段毎の紙の残量のデータとを合成して、トナーの残量とは異なる情報である給紙段毎の紙の残量を含むレディ画面を表示画面１ａ１に表示させる（ＳＴ１３）。
【０１３８】
一方、制御部１ｏは、前述した工程ＳＴ１２で、トナーの残量とは異なる情報を含む他のレディ画面の表示要求の入力を受け付けていないと判定された場合（ＳＴ１２：Ｎｏ）、トナーの残量とは異なる情報を含む他のレディ画面の表示要求の入力を受け付けたかに関する判定処理を繰り返す。
【０１３９】
図６は、本実施の形態に係る複合機１の表示画面１ａ１に表示される給紙段毎の紙の残量を含むデフォルト表示画面に設定する前のレディ画面の一例を示す模式図である。
【０１４０】
このレディ画面は、図６に示すように、表示している画面がレディ画面であることを示す「Ｒｅａｄｙ to ｐｒｉｎｔ．」というメッセージと、給紙段毎の紙の残量を示すイメージと、選択操作が当該レディ画面上でなされて、表示中のレディ画面をジョブを受け付けることが可能な場合に、ジョブを受け付けることが可能になった後で初めて表示するデフォルト表示画面として登録させるための登録要求の入力を受け付けるための登録釦（第３の釦）と、選択操作が当該レディ画面上でなされて、給紙段毎の紙の残量とは異なる情報を含む他のレディ画面を表示させるための表示要求の入力を受け付ける画面切替釦（第２の釦）とを含んでいる。
【０１４１】
なお、本実施の形態に係るレディ画面では、表示している画面がレディ画面であることを示す「Ｒｅａｄｙ to ｐｒｉｎｔ．」というメッセージと、給紙段毎の紙の残量を示すイメージと、選択操作が当該レディ画面上でなされて、表示中のレディ画面をジョブを受け付けることが可能な場合に、ジョブを受け付けることが可能になった後で初めて表示するデフォルト表示画面として登録させるための登録要求の入力を受け付けるための登録釦（第３の釦）と、選択操作が当該レディ画面上でなされて、給紙段毎の紙の残量とは異なる情報を含む他のレディ画面を表示させるための表示要求の入力を受け付ける画面切替釦（第２の釦）とを含んでいたが、これに限らず、例えば普通紙、光沢紙、高画質フォト用紙、レター用紙、ＯＨＰフィルムといった用紙等の種別を更に表示させてもよいことは言うまでもない。
【０１４２】
工程ＳＴ１４では、制御部１ｏは、パネル部１ａから出力された表示中の給紙段毎の紙の残量を含むレディ画面をデフォルト表示画面として登録させるための登録要求を受け取ったかにより、表示中のレディ画面をデフォルト表示画面として登録させるための登録要求の入力を受け付ける登録釦（第３の釦）の選択操作が給紙段毎の紙の残量を含む表示中のレディ画面上でなされて、給紙段毎の紙の残量を含む表示中のレディ画面をデフォルト表示画面として登録させるための登録要求の入力を受け付けたかを判定する。
【０１４３】
制御部１ｏは、前述した工程ＳＴ１４で、給紙段毎の紙の残量を含む表示中のレディ画面をデフォルト表示画面として登録させるための登録要求の入力を受け付けたと判定した場合（ＳＴ１４：Ｙｅｓ）、給紙段毎の紙の残量を含む表示中のレディ画面のテンプレートファイルに関し、デフォルト設定の有無情報を当該レディ画面がデフォルト表示画面に設定されていることを示す「デフォルト設定有り」に設定して、給紙段毎の紙の残量を含む表示中のレディ画面をデフォルト表示画面としてテンプレートファイル記憶部１ｌに記憶させる（ＳＴ１５）。
【０１４４】
制御部１ｏは、前述した工程ＳＴ１４で給紙段毎の紙の残量を含む表示中のレディ画面をデフォルト表示画面として登録させるための登録要求の入力を受け付けていないと判定された場合（ＳＴ１４：Ｎｏ）、パネル部１ａから出力された給紙段毎の紙の残量とは異なる情報を含む他のレディ画面の表示要求を受け取ったかにより、当該給紙段毎の紙の残量とは異なる情報を含む他のレディ画面を表示させるための画面切替釦（第２の釦）の選択操作が前述した給紙段毎の紙の残量を含むレディ画面上でなされて、給紙段毎の紙の残量とは異なる情報を含む他のレディ画面の表示要求の入力を受け付けたかを判定する（ＳＴ１６）。
【０１４５】
制御部１ｏは、前述した工程ＳＴ１６で給紙段毎の紙の残量とは異なる情報を含む他のレディ画面の表示要求の入力を受け付けたと判定された場合（ＳＴ１６：Ｙｅｓ）、現在時刻以前のジョブで、かつ、ジョブの進捗情報がジョブが実行済みであることを示す「完了済み」であるジョブのデータを現在時刻以前の実行済みジョブとして、この実行済みジョブに関するデータをジョブ履歴データ記憶部１ｉから全て読み出し、ジョブ履歴データ記憶部１ｉから読み出した実行済みの全ジョブのデータを部門情報記憶部１ｊに記憶されたマックアドレスに対応する部門毎に再集計して、再集計の結果、得られた部門毎の紙の使用枚数のデータと、テンプレートファイル記憶部１ｌから読み出したレディ画面のテンプレートファイルとを合成して、給紙段毎の紙の残量とは異なる部門毎の紙の使用枚数を含むレディ画面を表示画面１ａ１に表示させる（ＳＴ１７）。
【０１４６】
一方、制御部１ｏは、前述した工程ＳＴ１６で給紙段毎の紙の残量とは異なる情報を含む他のレディ画面の表示要求の入力を受け付けていないと判定された場合（ＳＴ１６：Ｎｏ）、給紙段毎の紙の残量とは異なる情報を含む他のレディ画面の表示要求の入力を受け付けたかに関する判定処理を繰り返す。
【０１４７】
図７は、本実施の形態に係る複合機１の表示画面１ａ１に表示される部門毎の紙の使用枚数を含むデフォルト表示画面に設定する前のレディ画面の一例を示す模式図である。
【０１４８】
このレディ画面は、図７に示すように、表示している画面がレディ画面であることを示す「Ｒｅａｄｙ to ｐｒｉｎｔ．」というメッセージと、部門毎の紙の使用枚数を示すイメージと、選択操作が当該レディ画面上でなされて、表示中のレディ画面をジョブを受け付けることが可能な場合に、ジョブを受け付けることが可能になった後で初めて表示するデフォルト表示画面として登録させるための登録要求の入力を受け付ける登録釦（第３の釦）と、選択操作が当該レディ画面上でなされて、部門毎の紙の使用枚数とは異なる情報を含む他のレディ画面を表示画面１ａ１に表示させるための表示要求の入力を受け付ける画面切替釦（第２の釦）とを含んでいる。
【０１４９】
工程ＳＴ１８では、制御部１ｏは、パネル部１ａから出力された部門毎の紙の使用枚数を含む表示中のレディ画面をデフォルト表示画面として登録させるための登録要求を受け取ったかにより、当該部門毎の紙の使用枚数を含むレディ画面をデフォルト表示画面として登録させるための登録釦（第３の釦）の選択操作が部門毎の紙の使用枚数を含む表示中のレディ画面上でなされて、当該部門毎の紙の使用枚数を含む表示中のレディ画面をデフォルト表示画面として登録させるための登録要求の入力を受け付けたかを判定する。
【０１５０】
制御部１ｏは、前述した工程ＳＴ１８で部門毎の紙の使用枚数を含む表示中のレディ画面をデフォルト表示画面として登録させるための登録要求の入力を受け付けたと判定された場合（ＳＴ１８：Ｙｅｓ）、部門毎の紙の使用枚数を含む表示中のレディ画面のテンプレートファイルに関し、デフォルト設定の有無情報を当該レディ画面がデフォルト表示画面に設定されていることを示す「デフォルト設定有り」に設定して、部門毎の紙の使用枚数を含む表示中のレディ画面をデフォルト表示画面としてテンプレートファイル記憶部１ｌに記憶させる（ＳＴ１９）。
【０１５１】
制御部１ｏは、前述した工程ＳＴ１８で、部門毎の紙の使用枚数を含む表示中のレディ画面をデフォルト表示画面として登録させるための登録要求の入力を受け付けていないと判定された場合（ＳＴ１８：Ｎｏ）、パネル部１ａから出力された部門毎の紙の使用枚数とは異なる情報を含む他のレディ画面の表示要求を受け取ったかにより、部門毎の紙の使用枚数とは異なる情報を含む他のレディ画面を表示させるための画面切替釦（第２の釦）の選択操作が前述した部門毎の紙の使用枚数を含むレディ画面上でなされて、部門毎の紙の使用枚数とは異なる情報を含む他のレディ画面の表示要求の入力を受け付けたかを判定する（ＳＴ２０）。
【０１５２】
制御部１ｏは、前述した工程ＳＴ２０で部門毎の紙の使用枚数とは異なる情報を含む他のレディ画面の表示要求の入力を受け付けたと判定された場合（ＳＴ２０：Ｙｅｓ）、
給紙段別使用枚数記憶部１ｇから給紙段毎の紙の使用枚数のデータを読み出した後、給紙段データ記憶部１ｋのデータを参照して、給紙段のデータを給紙段に対応する用紙サイズのデータに変換し、しかる後、テンプレートファイル記憶部１ｌから読み出したレディ画面のテンプレートファイルと用紙サイズ毎の紙の使用枚数のデータとを合成して、部門毎の紙の使用枚数とは異なる用紙サイズ毎の紙の使用枚数を含むレディ画面を表示画面１ａ１に表示させる。（ＳＴ２１）。
【０１５３】
一方、制御部１ｏは、前述した工程ＳＴ２０で部門毎の紙の使用枚数とは異なる情報を含む他のレディ画面の表示要求の入力を受け付けていないと判定された場合（ＳＴ２０：Ｎｏ）、部門毎の紙の使用枚数とは異なる情報を含む他のレディ画面の表示要求の入力を受け付けたかに関する判定処理を繰り返す。
【０１５４】
図８は、本実施の形態に係る複合機１の表示画面１ａ１に表示される用紙サイズ毎の紙の使用枚数を含むデフォルト表示画面に設定する前のレディ画面の一例を示す模式図である。
【０１５５】
このレディ画面は、図８に示すように、表示している画面がレディ画面であることを示す「Ｒｅａｄｙ to ｐｒｉｎｔ．」というメッセージと、用紙サイズ毎の紙の使用枚数を示すイメージと、選択操作が当該レディ画面上でなされて、表示中のレディ画面をジョブを受け付けることが可能な場合に、ジョブを受け付けることが可能になった後で初めて表示するデフォルト表示画面として登録させるための登録要求の入力を受け付ける登録釦（第３の釦）と、選択操作が当該レディ画面上でなされて、用紙サイズ毎の紙の使用枚数とは異なる情報を含む他のレディ画面を表示させるための表示要求の入力を受け付ける画面切替釦（第２の釦）とを含んでいる。
【０１５６】
工程ＳＴ２２では、制御部１ｏは、パネル部１ａから出力された用紙サイズ毎の紙の使用枚数を含む表示中のレディ画面をデフォルト表示画面として登録させるための登録要求を受け取ったかにより、当該用紙サイズ毎の紙の使用枚数を含む表示中のレディ画面をデフォルト表示画面として登録させるための登録釦（第３の釦）の選択操作が用紙サイズ毎の紙の使用枚数を含む表示中のレディ画面上でなされて、用紙サイズ毎の紙の使用枚数を含む表示中のレディ画面をデフォルト表示画面として登録させるための登録要求の入力を受け付けたかを判定する。
【０１５７】
制御部１ｏは、前述した工程ＳＴ２２で、用紙サイズ毎の紙の使用枚数を含む表示中のレディ画面をデフォルト表示画面として登録させるための登録要求の入力を受け付けたと判定された場合（ＳＴ２２：Ｙｅｓ）、用紙サイズ毎の紙の使用枚数を含む表示中のレディ画面のテンプレートファイルに関し、デフォルト設定の有無情報を当該レディ画面がデフォルト表示画面に設定されていることを示す「デフォルト設定有り」に設定して、用紙サイズ毎の紙の使用枚数を含む表示中のレディ画面をデフォルト表示画面としてテンプレートファイル記憶部１ｌに記憶させる（ＳＴ２３）。
【０１５８】
一方、制御部１ｏは、前述した工程ＳＴ２２で、用紙サイズ毎の紙の使用枚数を含む表示中のレディ画面をデフォルト表示画面として登録させるための登録要求の入力を受け付けていないと判定された場合（ＳＴ２２：Ｎｏ）、パネル部１ａから出力された用紙サイズ毎の紙の使用枚数とは異なる情報を含む他のレディ画面の表示要求を受け取ったかにより、用紙サイズ毎の紙の使用枚数とは異なる情報を含む他のレディ画面を表示させるための表示要求の入力を受け付ける画面切替釦（第２の釦）の選択操作が前述した用紙サイズ毎の紙の使用枚数を含む表示中のレディ画面上でなされて、用紙サイズ毎の紙の使用枚数とは異なる情報を含む他のレディ画面の表示要求の入力を受け付けたかを判定する（ＳＴ２４）。
【０１５９】
制御部１ｏは、前述した工程ＳＴ２４で、用紙サイズ毎の紙の使用枚数とは異なる情報を含む他のレディ画面の表示要求の入力を受け付けたと判定された場合（ＳＴ２４：Ｙｅｓ）、用紙サイズ毎の紙の使用枚数とは異なる情報を含むレディ画面のテンプレートファイルをテンプレートファイル記憶部１ｌから読み出し、読み出したレディ画面のテンプレートファイルと、給紙段別使用枚数記憶部１ｇから読み出した給紙段毎の紙の使用枚数のデータとを合成して、給紙段毎の紙の使用枚数を含むレディ画面を表示画面１ａ１に表示させる（ＳＴ２５）。
【０１６０】
一方、制御部１ｏは、前述した工程ＳＴ２４で、用紙サイズ毎の紙の使用枚数とは異なる情報を含む他のレディ画面の表示要求の入力を受け付けていないと判定された場合（ＳＴ２４：Ｎｏ）、用紙サイズ毎の紙の使用枚数とは異なる情報を含む他のレディ画面の表示要求の入力を受け付けたかに関する判定処理を繰り返す。
【０１６１】
図９は、本実施の形態に係る複合機１の表示画面１ａ１に表示される給紙段毎の紙の使用枚数を含むデフォルト表示画面に設定する前のレディ画面の一例を示す模式図である。
【０１６２】
このレディ画面は、図９に示すように、表示している画面がレディ画面であることを示す「Ｒｅａｄｙ to ｐｒｉｎｔ．」というメッセージと、給紙段毎の紙の使用枚数を示すイメージと、選択操作が当該レディ画面上でなされて、表示中のレディ画面をジョブを受け付けることが可能な場合に、ジョブを受け付けることが可能になった後で初めて表示するデフォルト表示画面として登録させるための登録要求の入力を受け付ける登録釦（第３の釦）と、選択操作が当該レディ画面上でなされて、給紙段毎の紙の使用枚数とは異なる情報を含む他のレディ画面を表示させるための表示要求の入力を受け付ける画面切替釦（第２の釦）とを含んでいる。
【０１６３】
工程ＳＴ２６では、制御部１ｏは、パネル部１ａから出力された給紙段毎の紙の使用枚数を含む表示中のレディ画面をデフォルト表示画面として登録させるための登録要求を受け取ったかにより、デフォルト表示画面として登録させるための登録要求の入力を受け付ける登録釦（第３の釦）の選択操作が前述した給紙段毎の紙の使用枚数を含むレディ画面上でなされて、当該給紙段毎の紙の使用枚数を含むレディ画面をデフォルト表示画面として登録するための登録要求の入力を受け付けたかを判定する。
【０１６４】
制御部１ｏは、前述した工程ＳＴ２６で、給紙段毎の紙の使用枚数を含むレディ画面をデフォルト表示画面として登録するための登録要求の入力を受け付けたと判定された場合（ＳＴ２６：Ｙｅｓ）、給紙段毎の紙の使用枚数を含む表示中のレディ画面のテンプレートファイルに関し、デフォルト設定の有無情報を当該レディ画面がデフォルト表示画面に設定されていることを示す「デフォルト設定有り」に設定して、給紙段毎の紙の使用枚数を含む表示中のレディ画面をデフォルト表示画面としてテンプレートファイル記憶部１ｌに記憶させる（ＳＴ２７）。
【０１６５】
一方、制御部１ｏは、前述した工程ＳＴ２６で、給紙段毎の紙の使用枚数を含むレディ画面をデフォルト表示画面として登録するための登録要求の入力を受け付けていないと判定された場合（ＳＴ２６：Ｎｏ）、給紙段毎の紙の使用枚数とは異なる情報を含む他のレディ画面を表示させるための表示要求の入力を受け付ける画面切替釦（第２の釦）の選択操作が前述した給紙段毎の紙の使用枚数を含むレディ画面上でなされて、給紙段毎の紙の使用枚数とは異なる情報を含むレディ画面の表示要求の入力を受け付けたかを判定する（ＳＴ２８）。
【０１６６】
制御部１ｏは、前述した工程ＳＴ２８で、給紙段毎の紙の使用枚数とは異なる情報を含むレディ画面の表示要求を受け付けたと判定された場合（ＳＴ２８：Ｙｅｓ）、ジョブ履歴データ記憶部１ｉから現在時刻以前の実行済みジョブのデータを全て読み出し、読み出した全ジョブのデータを、カラー印刷／白黒印刷毎に定められた識別情報に基づいて再集計し、再集計の結果、得られたカラー印刷／白黒印刷毎の紙の印字枚数のデータと、テンプレートファイル記憶部１ｌから読み出した給紙段毎の紙の使用枚数とは異なる情報を含む他のレディ画面のテンプレートファイルとを合成して、カラー印刷／白黒印刷毎の紙の印字枚数を含むレディ画面を表示画面１ａ１に表示させる（ＳＴ２９）。
【０１６７】
一方、制御部１ｏは、前述した工程ＳＴ２８で、給紙段毎の紙の使用枚数とは異なる情報を含むレディ画面の表示要求を受け付けていないと判定された場合（ＳＴ２８：Ｎｏ）、給紙段毎の紙の使用枚数とは異なる情報を含むレディ画面の表示要求を受け付けたかに関する判定処理を繰り返す。
【０１６８】
図１０は、本実施の形態に係る複合機１の表示画面１ａ１に表示されるカラー印刷／白黒印刷毎の紙の印字枚数を含むデフォルト表示画面に設定する前のレディ画面の一例を示す模式図である。
【０１６９】
このレディ画面は、図１０に示すように、表示している画面がレディ画面であることを示す「Ｒｅａｄｙ to ｐｒｉｎｔ．」というメッセージと、カラー印刷／白黒印刷毎の紙の印字枚数と、選択操作が当該レディ画面上でなされて、表示中のレディ画面を、ジョブを受け付けることが可能な場合に、ジョブを受け付けることが可能になった後で初めて表示するデフォルト表示画面として登録させるための登録要求の入力を受け付ける登録釦（第３の釦）と、選択操作が当該レディ画面上でなされて、カラー印刷／白黒印刷毎の紙の印字枚数とは異なる情報を含む他のレディ画面を表示させるための表示要求の入力を受け付けるための画面切替釦（第２の釦）とを含んでいる。
【０１７０】
工程ＳＴ３０では、制御部１ｏは、パネル部１ａから出力されたカラー印刷／白黒印刷毎の紙の印字枚数を含む表示中のレディ画面をデフォルト表示画面として登録させるための登録要求を受け取ったかにより、デフォルト表示画面として登録させるための登録釦（第３の釦）の選択操作がカラー印刷／白黒印刷毎の紙の印字枚数を含む表示中のレディ画面上でなされて、カラー印刷／白黒印刷毎の紙の印字枚数を含む表示中のレディ画面をデフォルト表示画面として登録するための登録要求の入力を受け付けたかを判定する。
【０１７１】
制御部１ｏは、前述した工程ＳＴ３０で、カラー印刷／白黒印刷毎の紙の印字枚数を含む表示中のレディ画面をデフォルト表示画面として登録するための登録要求を受け付けたと判定された場合（ＳＴ３０：Ｙｅｓ）、カラー印刷／白黒印刷毎の紙の印字枚数を含む表示中のレディ画面のテンプレートファイルに関し、デフォルト設定の有無情報を当該レディ画面がデフォルト表示画面に設定されていることを示す「デフォルト設定有り」に設定して、カラー印刷／白黒印刷毎の紙の印字枚数を含む表示中のレディ画面をデフォルト表示画面としてテンプレートファイル記憶部１ｌに記憶させる（ＳＴ３１）。
【０１７２】
制御部１ｏは、前述した工程ＳＴ３０で、カラー印刷／白黒印刷毎の紙の印字枚数を含む表示中のレディ画面をデフォルト表示画面として登録するための登録要求が受け付けられていないと判定された場合（ＳＴ３０：Ｎｏ）、パネル部１ａから出力された、消耗品であるトナーに関する情報及び情報記録材である紙、ＯＨＰフィルム等に関する情報をいずれも含まないレディ画面を表示させるための表示要求を受け取ったかにより、消耗品に関する情報及び情報記録材に関する情報をいずれも含まないレディ画面を表示させるための画面切替釦（第２の釦）の選択操作が前述したカラー印刷／白黒印刷毎の紙の印字枚数を含む表示中のレディ画面上でなされて、消耗品に関する情報及び情報記録材に関する情報をいずれも含まないレディ画面を表示させるための表示要求の入力を受け付けたかを判定する（ＳＴ３２）。
【０１７３】
制御部１ｏは、前述した工程ＳＴ３２で、消耗品に関する情報及び情報記録材に関する情報をいずれも含まないレディ画面を表示させるための表示要求の入力を受け付けたと判定された場合（ＳＴ３２：Ｙｅｓ）、消耗品に関する情報及び情報記録材に関する情報をいずれも含まないレディ画面のテンプレートファイルをテンプレートファイル記憶部１ｌから読み出し、消耗品に関する情報及び情報記録材に関する情報を含むレディ画面を表示させる表示要求を受け付けるための釦（第２の釦）を含み、かつ、消耗品に関する情報及び情報記録材に関する情報をいずれも含まないレディ画面であるコンテンツ無し画面を表示画面１ａ１に表示させる（ＳＴ３３）。
【０１７４】
一方、制御部１ｏは、前述した工程ＳＴ３２で、消耗品に関する情報及び情報記録材に関する情報をいずれも含まないコンテンツ無し画面を表示させるための表示要求の入力を受け付けていないと判定された場合（ＳＴ３２：Ｎｏ）、消耗品に関する情報及び情報記録材に関する情報をいずれも含まないコンテンツ無し画面を表示させるための表示要求の入力を受け付けたかに関する判定処理を繰り返す。
【０１７５】
図１１は、本実施の形態に係る複合機１の表示画面１ａ１に表示される消耗品に関する情報及び情報記録材に関する情報をいずれも含まないデフォルト表示画面に設定する前のレディ画面であるコンテンツ無し画面の一例を示す模式図である。
【０１７６】
このレディ画面は、図１１に示すように、表示している画面がレディ画面であることを示す「Ｒｅａｄｙ to ｐｒｉｎｔ．」というメッセージと、選択操作が当該レディ画面上でなされて、表示中のレディ画面を、ジョブを受け付けることが可能な場合に、ジョブを受け付けることが可能になった後で初めて表示するデフォルト表示画面として登録させるための登録要求の入力を受け付ける登録釦（第３の釦）と、選択操作が当該レディ画面上でなされて、消耗品に関する情報及び情報記録材に関する情報を含む他のレディ画面を表示させるための表示要求の入力を受け付けるための画面切替釦（第２の釦）とを含み、かつ、消耗品に関する情報及び情報記録材に関する情報をいずれも含まないレディ画面である。
【０１７７】
工程ＳＴ３４では、制御部１ｏは、パネル部１ａから出力された前述のコンテンツ無し画面をデフォルト表示画面として登録させるための登録要求を受け取ったかにより、消耗品に関する情報及び情報記録材に関する情報を含むレディ画面の表示要求の入力を受け付ける画面切替釦（第２の釦）を含み、かつ、消耗品に関する情報及び情報記録材に関する情報をいずれも含まない前述したコンテンツ無し画面をデフォルト表示画面として登録させるための登録釦（第３の釦）の選択操作が前述したコンテンツ無し画面上でなされて、前述したコンテンツ無し画面をデフォルト表示画面として登録させるための登録要求の入力を受け付けたかを判定する。
【０１７８】
制御部１ｏは、前述した工程ＳＴ３４で、表示中のコンテンツ無し画面をデフォルト表示画面として登録させるための登録要求の入力を受け付けたと判定した場合（ＳＴ３４：Ｙｅｓ）には、コンテンツ無し画面のデータに関し、デフォルト設定の有無情報を当該レディ画面であるコンテンツ無し画面がデフォルト表示画面に設定されていることを示す「デフォルト設定有り」に設定して、当該コンテンツ無し画面をデフォルト表示画面としてテンプレートファイル記憶部１ｌに記憶させる（ＳＴ３５）。
【０１７９】
一方、制御部１ｏは、前述した工程ＳＴ３４で、前述したコンテンツ無し画面をデフォルト表示画面として登録させるための登録要求の入力を受け付けていないと判定された場合（ＳＴ３４：Ｎｏ）には、パネル部１ａから出力された消耗品に関する情報及び情報記録材に関する情報を含むレディ画面を表示させるための表示要求を受け取ったかにより、消耗品に関する情報及び情報記録材に関する情報を含む他のレディ画面を表示させるための画面切替釦（第２の釦）の選択操作が前述したコンテンツ無し画面上でなされて、消耗品に関する情報及び情報記録材に関する情報を含む他のレディ画面を表示させるための表示要求の入力を受け付けたかを判定する（ＳＴ３６）。
【０１８０】
制御部１ｏは、前述した工程ＳＴ３６で、消耗品に関する情報及び情報記録材に関する情報を含む他のレディ画面を表示させるための表示要求の入力を受け付けたと判定された場合（ＳＴ３６：Ｙｅｓ）には、消耗品に関する情報及び情報記録材に関する情報を含むレディ画面をデフォルト表示画面として登録するための登録釦（第３の釦）と、最初に表示した第１の形式のトナーの残量を示すイメージを含むレディ画面を表示させるための画面切替釦（第２の釦）とを含むレディ画面のテンプレートファイルをテンプレートファイル記憶部１ｌから読み出し、読み出したトナーの残量を示すイメージを含むレディ画面を表示画面１ａ１に表示させる（ＳＴ３７）。
【０１８１】
一方、制御部１ｏは、前述した工程ＳＴ３６で、消耗品に関する情報及び情報記録材に関する情報を含む他のレディ画面を表示させるための表示要求の入力を受け付けていないと判定された場合（ＳＴ３６：Ｎｏ）には、消耗品に関する情報及び情報記録材に関する情報を含む他のレディ画面を表示させるための表示要求の入力を受け付けたかに関する判定処理を繰り返す。
【０１８２】
図１２は、本実施の形態に係る複合機１の表示画面１ａ１に表示される消耗品に関する情報及び情報記録材に関する情報を含むデフォルト表示画面に設定する前のレディ画面の一例を示す模式図である。
【０１８３】
このレディ画面は、図１２に示すように、表示している画面がレディ画面であることを示す「Ｒｅａｄｙ to ｐｒｉｎｔ．」というメッセージと、トナーの残量と給紙段毎の使用枚数とを示すイメージと、選択操作が当該レディ画面上でなされて、表示中のレディ画面をジョブを受け付けることが可能な場合に、ジョブを受け付けることが可能になった後で初めて表示するデフォルト表示画面として登録させるための登録要求の入力を受け付ける登録釦（第３の釦）と、選択操作が当該レディ画面上でなされて、トナーの残量を示す前述した第１のイメージを含むレディ画面（第１のレディ画面）を表示させるための表示要求の入力を受け付けるための画面切替釦（第２の釦）とを含むレディ画面である。
【０１８４】
工程ＳＴ３８では、制御部１ｏは、パネル部１ａから出力された消耗品に関する情報及び情報記録材に関する情報を含む表示中のレディ画面をデフォルト表示画面として登録させるための登録要求を受け取ったかにより、表示中のレディ画面をデフォルト表示画面として登録させるための登録釦（第３の釦）の選択操作が消耗品に関する情報及び情報記録材に関する情報を含む表示中のレディ画面上でなされて、消耗品に関する情報及び情報記録材に関する情報を含む表示中のレディ画面をデフォルト表示画面として登録するための登録要求の入力を受け付けたかを判定する。
【０１８５】
制御部１ｏは、前述した工程ＳＴ３８で、消耗品に関する情報及び情報記録材に関する情報を含む表示中のレディ画面をデフォルト表示画面として登録するための登録要求の入力を受け付けたと判定された場合（ＳＴ３８：Ｙｅｓ）、消耗品に関する情報及び情報記録材に関する情報を含む表示中のレディ画面のテンプレートファイルに関し、デフォルト設定の有無情報を当該レディ画面がデフォルト表示画面に設定されていることを示す「デフォルト設定有り」に設定して、消耗品に関する情報及び情報記録材に関する情報を含む表示中のレディ画面をデフォルト表示画面としてテンプレートファイル記憶部１ｌに記憶させる（ＳＴ３９）。
【０１８６】
一方、制御部１ｏは、前述した工程ＳＴ３８で、消耗品に関する情報及び情報記録材に関する情報を含む表示中のレディ画面をデフォルト表示画面として登録するための登録要求の入力を受け付けていないと判定された場合（ＳＴ３８：Ｎｏ）には、パネル部１ａから出力されたトナーの残量の第１形式のイメージを含むレディ画面を表示させるための表示要求を受け取ったかにより、最初に表示した第１の形式のトナーの残量を示す第１のイメージを含むレディ画面を表示させるための画面切替釦（第２の釦）の選択操作が前述した消耗品に関する情報及び情報記録材に関する情報を含むレディ画面上でなされて、トナーの残量の第１のイメージを含むレディ画面の表示要求の入力を受け付けたかを判定する（ＳＴ４０）。
【０１８７】
制御部１ｏは、前述した工程ＳＴ４０で、トナーの残量を示す第１のイメージを含むレディ画面の表示要求の入力を受け付けたと判定された場合（ＳＴ４０：Ｙｅｓ）には、前述したトナーの残量を示す第１のイメージを含むレディ画面のテンプレートファイルをテンプレートファイル記憶部１ｌから読み出し、トナーの残量を示す第１のイメージを含む前述したレディ画面を表示画面１ａ１（表示手段）に表示させる（ＳＴ４１）。
【０１８８】
一方、制御部１ｏは、前述した工程ＳＴ４０で、前述したトナーの残量を示す第１のイメージを含むレディ画面の表示要求の入力を受け付けていないと判定された場合（ＳＴ４０：Ｎｏ）には、当該トナーの残量を示す第１のイメージを含むレディ画面の表示要求の入力を受け付けたかに関する判定処理を繰り返す。
【０１８９】
工程ＳＴ４２では、制御部１ｏは、前述したテンプレートファイル記憶部１ｌに記憶された各レディ画面に付与されたデフォルト設定の有無情報を参照して、テンプレートファイル記憶部１ｌに記憶された各レディ画面のうち、前述したトナーの残量を示す第１のイメージを含むレディ画面以外のいずれかのレディ画面がすでにデフォルト表示画面として登録済みであるかを判定する。
【０１９０】
制御部１ｏは、前述した工程ＳＴ４２で、第１のイメージを含むレディ画面以外のいずれかのレディ画面がすでにデフォルト表示画面として登録済みであると判定された場合（ＳＴ４２：Ｙｅｓ）には、実行中のジョブがあるかにより、ジョブを受け付けることが可能かを判定する（ＳＴ４３）。
【０１９１】
一方、制御部１ｏは、前述した工程ＳＴ４２で、第１のイメージを含むレディ画面以外のいずれのレディ画面もまだデフォルト表示画面として登録されていないと判定された場合（ＳＴ４２：Ｎｏ）には、前述した工程ＳＴ１に移行して、ジョブを受け付けることが可能かに関する判定処理を実行する。
【０１９２】
制御部１ｏは、前述した工程ＳＴ４３でジョブを受け付けることが可能であると判定された場合（ＳＴ４３：Ｙｅｓ）、デフォルト設定の有無情報を参照して、デフォルト表示画面として登録済のレディ画面のテンプレートファイルをテンプレートファイル記憶部１ｌから読み出し、デフォルト表示画面として登録済のレディ画面を表示画面１ａ１に表示させる（ＳＴ４４）。
【０１９３】
例えば、制御部１ｏは、前述したデフォルト表示画面登録処理で図５に示すＹＭＣＫ毎のトナーの残量を示す第２のイメージを含むレディ画面がデフォルト表示画面として登録されていた場合（ＳＴ１１）には、表示している画面がレディ画面であることを示す「Ｒｅａｄｙ to ｐｒｉｎｔ．」というメッセージと、紙のサイズと、紙の種別と、トナーの残量を示す第２のイメージと、選択操作が当該レディ画面上でなされてメニュー画面の表示要求を受け付けるためのメニュー画面釦と、選択操作が当該レディ画面上でなされて実行予定のジョブのリストを含むステイタス表示画面の表示要求の入力を受け付けるステイタス表示画面釦と、選択操作が当該レディ画面上でなされてトナーの残量を示す第２のイメージとは異なる情報を含む他のレディ画面の表示要求の入力を受け付ける画面切替釦（第２の釦）とを含む図１３に示すようなレディ画面を表示画面１ａ１に表示させる。
【０１９４】
また、制御部１ｏは、前述したデフォルト表示画面登録処理で図６に示す給紙段毎の紙の残量を含むレディ画面がデフォルト表示画面として登録されていた場合（ＳＴ１５）には、表示している画面がレディ画面であることを示す「Ｒｅａｄｙ to ｐｒｉｎｔ．」というメッセージと、紙のサイズと、紙の種別と、給紙段毎の紙の残量を表示するイメージと、選択操作が当該レディ画面上でなされてメニュー画面の表示要求を受け付けるためのメニュー画面釦と、選択操作が当該レディ画面上でなされて実行予定のジョブのリストを含むステイタス表示画面の表示要求の入力を受け付けるステイタス表示画面釦と、選択操作が当該レディ画面上でなされて給紙段毎の紙の残量を示すイメージとは異なる情報を含む他のレディ画面の表示要求の入力を受け付ける画面切替釦（第２の釦）とを含む図１４に示すようなレディ画面を表示画面１ａ１に表示させる。
【０１９５】
更に、制御部１ｏは、前述したデフォルト表示画面登録処理で図７に示す部門毎の紙の使用枚数を含むレディ画面がデフォルト表示画面として登録されていた場合（ＳＴ１９）には、表示している画面がレディ画面であることを示す「Ｒｅａｄｙ to ｐｒｉｎｔ．」というメッセージと、紙のサイズと、紙の種別と、部門毎の紙の使用枚数を表示するイメージと、選択操作が当該レディ画面上でなされてメニュー画面の表示要求を受け付けるためのメニュー画面釦と、選択操作が当該レディ画面上でなされて実行予定のジョブのリストを含むステイタス表示画面の表示要求の入力を受け付けるステイタス表示画面釦と、選択操作が当該レディ画面上でなされて部門毎の紙の使用枚数を示すイメージとは異なる情報を含む他のレディ画面の表示要求の入力を受け付ける画面切替釦（第２の釦）とを含む図１５に示すようなレディ画面を表示画面１ａ１に表示させる。
【０１９６】
また、制御部１ｏは、前述したデフォルト表示画面登録処理で図８に示す用紙サイズ毎の紙の使用枚数を含むレディ画面がデフォルト表示画面として登録されていた場合（ＳＴ２３）には、表示している画面がレディ画面であることを示す「Ｒｅａｄｙ to ｐｒｉｎｔ．」というメッセージと、紙のサイズと、紙の種別と、用紙サイズ毎の紙の使用枚数を表示するイメージと、選択操作が当該レディ画面上でなされてメニュー画面の表示要求を受け付けるためのメニュー画面釦と、選択操作が当該レディ画面上でなされて実行予定のジョブのリストを含むステイタス表示画面の表示要求の入力を受け付けるステイタス表示画面釦と、選択操作が当該レディ画面上でなされて部門毎の紙の使用枚数を示すイメージとは異なる情報を含む他のレディ画面の表示要求の入力を受け付ける画面切替釦（第２の釦）とを含む図１６に示すようなレディ画面を表示画面１ａ１に表示させる。
【０１９７】
更に、制御部１ｏは、前述したデフォルト表示画面登録処理で図９に示す給紙段毎の紙の使用枚数を含むレディ画面がデフォルト表示画面として登録されていた場合（ＳＴ２７）には、表示している画面がレディ画面であることを示す「Ｒｅａｄｙ to ｐｒｉｎｔ．」というメッセージと、紙のサイズと、紙の種別と、給紙段毎の紙の使用枚数を表示するイメージと、選択操作が当該レディ画面上でなされてメニュー画面の表示要求を受け付けるためのメニュー画面釦と、選択操作が当該レディ画面上でなされて実行予定のジョブのリストを含むステイタス表示画面の表示要求の入力を受け付けるステイタス表示画面釦と、選択操作が当該レディ画面上でなされて給紙段毎の紙の使用枚数を示すイメージとは異なる情報を含む他のレディ画面の表示要求の入力を受け付ける画面切替釦（第２の釦）とを含む図１７に示すようなレディ画面を表示画面１ａ１に表示させる。
【０１９８】
また、制御部１ｏは、前述したデフォルト表示画面登録処理で図１０に示すカラー印刷／白黒印刷毎の紙の印字枚数を含むレディ画面がデフォルト表示画面として登録されていた場合（ＳＴ３１）には、表示している画面がレディ画面であることを示す「Ｒｅａｄｙ to ｐｒｉｎｔ．」というメッセージと、紙のサイズと、紙の種別と、カラー印刷／白黒印刷毎の紙の印字枚数を表示するイメージと、選択操作が当該レディ画面上でなされてメニュー画面の表示要求を受け付けるためのメニュー画面釦と、選択操作が当該レディ画面上でなされて実行予定のジョブのリストを含むステイタス表示画面の表示要求の入力を受け付けるステイタス表示画面釦と、選択操作が当該レディ画面上でなされてカラー印刷／白黒印刷毎の紙の印字枚数を示すイメージとは異なる情報を含む他のレディ画面の表示要求の入力を受け付ける画面切替釦（第２の釦）とを含む図１８に示すようなレディ画面を表示画面１ａ１に表示させる。
【０１９９】
更に、制御部１ｏは、前述したデフォルト表示画面登録処理で図１１に示す消耗品に関する情報及び情報記録材に関する情報を含むレディ画面の表示要求の入力を受け付ける画面切替釦（第２の釦）を含み、かつ、消耗品に関する情報及び情報記録材に関する情報をいずれも含まないコンテンツ無し画面がデフォルト表示画面として登録されていた場合（ＳＴ３５）には、表示している画面がレディ画面であることを示す「Ｒｅａｄｙ to ｐｒｉｎｔ．」というメッセージと、選択操作が当該レディ画面上でなされてメニュー画面の表示要求を受け付けるためのメニュー画面釦と、選択操作が当該レディ画面上でなされて実行予定のジョブのリストを含むステイタス表示画面の表示要求の入力を受け付けるステイタス表示画面釦と、選択操作が当該レディ画面上でなされて消耗品に関する情報及び情報記録材に関する情報他のレディ画面の表示要求の入力を受け付ける画面切替釦（第２の釦）とを含む図１９に示すようなレディ画面を表示画面１ａ１に表示させる。
【０２００】
また、制御部１ｏは、前述したデフォルト表示画面登録処理で図１２に示す消耗品に関する情報及び情報記録材に関する情報を含むレディ画面がデフォルト表示画面として登録されていた場合（ＳＴ３９）には、表示している画面がレディ画面であることを示す「Ｒｅａｄｙ to ｐｒｉｎｔ．」というメッセージと、紙のサイズと、紙の種別と、消耗品に関する情報及び情報記録材に関する情報を表示するイメージと、選択操作が当該レディ画面上でなされてメニュー画面の表示要求を受け付けるためのメニュー画面釦と、選択操作が当該レディ画面上でなされて実行予定のジョブのリストを含むステイタス表示画面の表示要求の入力を受け付けるステイタス表示画面釦と、選択操作が当該レディ画面上でなされて消耗品に関する情報及び情報記録材に関する情報とは異なる情報を含む他のレディ画面の表示要求の入力を受け付ける画面切替釦（第２の釦）とを含む図２０に示すようなレディ画面を表示画面１ａ１に表示させる。
【０２０１】
なお、本実施の形態に係る複合機１は、デフォルト表示画面を登録する際に、トナーの残量を示す第１のイメージを含むレディ画面、トナーの残量を示す第２のイメージを含むレディ画面、給紙段毎の紙の残量を示すイメージを含むレディ画面、部門毎の紙の使用枚数を示すイメージを含むレディ画面、用紙サイズ毎の紙の使用枚数を示すイメージを含むレディ画面、給紙段毎の紙の使用枚数を含むレディ画面、カラー印刷／白黒印刷毎の印刷枚数を示すイメージを含むレディ画面、消耗品に関する情報及び情報記録材に関する情報をいずれも含まないレディ画面、消耗品に関する情報及び情報記録材に関する情報を含むレディ画面の順で表示画面１ａ１上に表示させたが、レディ画面を表示画面１ａ１に表示させる表示順序は、任意に変更可能であることは言うまでもない。
【０２０２】
また、本実施の形態に係る複合機１の表示画面１ａ１に表示させるレディ画面に含まれる情報としては、例えば、フューザの交換時期に関する情報、ドラムの交換時期に関する情報、新製品に関する広告情報、消耗品の在庫情報、消耗品の価格情報、最寄りの代理店に関する情報等の任意の情報に変更してもよいし、上述したトナーの残量、給紙段毎の紙の残量、部門毎の紙の使用枚数、用紙サイズ毎の紙の使用枚数、給紙段毎の紙の使用枚数、カラー印刷／白黒印刷毎の印刷枚数と、フューザの交換時期に関する情報、ドラムの交換時期に関する情報、新製品に関する広告情報、消耗品の在庫情報、消耗品の価格情報、最寄りの代理店に関する情報等の任意の情報と組み合わせてもよい。
【０２０３】
更に、本実施の形態に係る複合機１の表示画面１ａ１に表示させるレディ画面に含まれるイメージとしては、トナーの残量、給紙段毎の紙の残量、部門毎の紙の使用枚数、用紙サイズ毎の紙の使用枚数、給紙段毎の紙の使用枚数、カラー印刷／白黒印刷毎の印刷枚数、消耗品に関する情報及び情報記録材に関する情報を示すものであれば、任意のイメージに変更可能であることは言うまでもない。
【０２０４】
一方、制御部１ｏは、前述した工程ＳＴ４５でジョブを受け付けることが不可能であると判定された場合（ＳＴ４３：Ｎｏ）、実行中のジョブが終了するまでジョブを実行した後（ＳＴ４５）、処理を終了する。
【０２０５】
以上のような一連の処理により、本実施の形態に係る複合機１は、実行処理を終了する。
【０２０６】
上述したように、本実施の形態に係る複合機１によれば、ジョブを受け付けることが可能な場合に表示画面１ａ１に表示されるレディ画面に表示させる情報を選択することができるので、情報を必要とする操作者に関して操作性の向上を図ることができる。
【０２０７】
この結果、本実施の形態に係る複合機１によれば、操作者に対して与える不快感の軽減を図ることが可能となる。
【０２０８】
また、本実施の形態に係る複合機１によれば、ジョブを受け付けることが可能な場合に表示画面１ａ１に表示されるレディ画面上に情報を表示させないように選択することができるので、情報を必要としない操作者に関しても操作性の向上を図ることができる。
【０２０９】
この結果、本実施の形態に係る複合機１によれば、情報を必要としない操作者に対して与える不快感の軽減を図ることが可能となる。
【０２１０】
更に、本実施の形態に係る複合機１によれば、ジョブを受け付けることが可能な場合に、ジョブを受け付けることが可能になった後で初めて表示するレディ画面であるデフォルト表示画面に表示するデータをレディ画面上で選択することができるので、普段はあまり必要でない情報であっても必要となればワンタッチ操作で確認することができ、操作性をより一層高めることが可能になる。
【０２１１】
なお、上記実施の形態に係る画像形成プログラムは、コンピュータにインストールされた、アプリケーションプログラム、エミュレーター、ＯＳ、ブラウザー、ミドルウェア等によってその機能が実現されるものであってもよい。
【０２１２】
なお、上述した各実施の形態に示す手法は、コンピュータにより読み出して実行させることのできるプログラムとして磁気ディスク（フロッピー（登録商標）ディスク、ハードディスクドライブ等）、光ディスク（ＣＤ−ＲＯＭ、ＤＶＤ、ＢＤ（Blu-ray Disk）−ＲＯＭ(Read Only Memory:再生専用型)、ＢＤ(Blu-ray Disk)−Ｒ(Recordable:追記型)、ＢＤ(Blu-ray Disk)−ＲＥ（Rewritable:書き換え型）等）、光磁気ディスク（ＭＯ）、半導体メモリ、ホログラフィックメモリ等の記録媒体に格納して頒布することによりユーザーに提供することができる。
【０２１３】
また、本発明の画像形成プログラムの提供手法としては、例えば画像形成プログラムを記録媒体に記録させた状態でユーザーに頒布する手法や、例えばインターネット等の通信ネットワークを介してユーザーの保有するコンピュータに送信し、送信したプログラムをコンピュータにインストールさせる手法、無線を用いて提供する手法等が上げられる。また、本実施の形態に係る画像形成プログラムを提供する手法としては、いわゆる周知のＡＳＰ（Application Service Provider）による手法によってもよいことはいうまでもない。
【０２１４】
また、上記各実施の形態に係る画像形成プログラムは、一般的な高級言語、例えばＣ言語、Delphi、ＸＴＬ、Perl（Practical Extraction and Report Language）、XML(eXtensible Markup Language)や、オブジェクト指向言語（C++、JAVA、C＃、JAVA2、Small Talk）等の任意のプログラム言語で作成されたものであってもよい。
【０２１５】
また、本発明に関して記録媒体としては、プログラムを記録でき、かつ、コンピュータが読み取り可能な記録媒体であれば、記録形式はいかなる形式であっても、例えば、磁気テープ、半導体フラッシュメモリ、フロッピー（登録商標）ディスク、ＣＤ−ＲＯＭ、ＣＤ−Ｒ／ＲＷ、ＤＶＤ−ＲＯＭ、ＤＶＤ−ＲＡＭ、ＤＶＤ−Ｒ／−ＲＷ、ＤＶＤ+Ｒ／＋ＲＷ、ＭＯ、ホログラフィックメモリ、ＢＤ−ＲＯＭ、ＢＤ−Ｒ、ＢＤ−ＲＥ等のいずれの形態であってもよい。
【０２１６】
更に、本発明の記録媒体は、コンピュータと独立した媒体に限らず、ＬＡＮ、ＷＡＮ、イントラネット、及びインターネット等の通信ネットワークを介して記憶又は一時記憶した媒体であってもよい。
【０２１７】
また、本発明では、記録媒体の種類及び数は、ひとつである必要は無く、同一の形態または形態の異なる複数の記録媒体の組み合わせからなっていてもよいことはいうまでもない。
【０２１８】
また、本発明は、上述した各機能を実現するプログラムを構成するのに必要不可欠なデータ構造、加工用プログラム、及び上記加工用プログラムが機能する各種ハードウェアを
包含する。
【０２１９】
なお、上記加工用プログラムは、一般的な高級言語、例えばＣ言語、Delphi、ＸＴＬ、Perl（Practical Extraction and Report Language）、XML(eXtensible Markup Language)や、オブジェクト指向言語（C++、JAVA、C＃、JAVA2、Small Talk）等の任意のプログラム言語で作成されたものであってもよい。
【０２２０】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【０２２１】
その他、本発明は、その要旨を逸脱しない範囲内で種々変更して実施することができる。
【図面の簡単な説明】
【０２２２】
【図１】本発明の画像形成装置を適用した複合機１の一例を示す斜視図である。
【図２】本発明の画像形成装置を適用した複合機１の構成の一例を示す機能ブロック図である。
【図３Ａ】本実施の形態に係る複合機１の実行する実行処理に関して説明するためのフローチャートである。
【図３Ｂ】本実施の形態に係る複合機１の実行する実行処理に関して説明するためのフローチャートである。
【図４】本実施の形態に係る複合機１の表示画面１ａ１に表示されるトナーの残量を示す第１のイメージを含むデフォルト表示画面に設定する前のレディ画面の一例を示す模式図である。
【図５】本実施の形態に係る複合機１の表示画面１ａ１に表示されるトナーの残量を示す第２のイメージを含むデフォルト表示画面に設定する前のレディ画面の一例を示す模式図である。
【図６】本実施の形態に係る複合機１の表示画面１ａ１に表示される給紙段毎の紙の残量を含むデフォルト表示画面に設定する前のレディ画面の一例を示す模式図である。
【図７】本実施の形態に係る複合機１の表示画面１ａ１に表示される部門毎の紙の使用枚数を含むデフォルト表示画面に設定する前のレディ画面の一例を示す模式図である。
【図８】本実施の形態に係る複合機１の表示画面１ａ１に表示される用紙サイズ毎の紙の使用枚数を含むデフォルト表示画面に設定する前のレディ画面の一例を示す模式図である。
【図９】本実施の形態に係る複合機１の表示画面１ａ１に表示される給紙段毎の紙の使用枚数を含むデフォルト表示画面に設定する前のレディ画面の一例を示す模式図である。
【図１０】本実施の形態に係る複合機１の表示画面１ａ１に表示されるカラー印刷／白黒印刷毎の紙の印字枚数を含むデフォルト表示画面に設定する前のレディ画面の一例を示す模式図である。
【図１１】本実施の形態に係る複合機１の表示画面１ａ１に表示される消耗品に関する情報及び情報記録材に関する情報をいずれも含まないデフォルト表示画面に設定する前のコンテンツ無し画面の一例を示す模式図である。
【図１２】本実施の形態に係る複合機１の表示画面１ａ１に表示される消耗品に関する情報及び情報記録材に関する情報を含むデフォルト表示画面に設定する前のレディ画面の一例を示す模式図である。
【図１３】デフォルト表示画面に設定した後で、本実施の形態に係る複合機１の表示画面１ａ１に表示されるトナーの残量を示す第２のイメージを含むレディ画面の一例を示す模式図である。
【図１４】デフォルト表示画面に設定した後で、本実施の形態に係る複合機１の表示画面１ａ１に表示される給紙段毎の紙の残量を含むレディ画面の一例を示す模式図である。
【図１５】デフォルト表示画面に設定した後で、本実施の形態に係る複合機１の表示画面１ａ１に表示される部門毎の紙の使用枚数を含むレディ画面の一例を示す模式図である。
【図１６】デフォルト表示画面に設定した後で、本実施の形態に係る複合機１の表示画面１ａ１に表示される用紙サイズ毎の紙の使用枚数を含むレディ画面の一例を示す模式図である。
【図１７】デフォルト表示画面に設定した後で、本実施の形態に係る複合機１の表示画面１ａ１に表示される給紙段毎の紙の使用枚数を含むレディ画面の一例を示す模式図である。
【図１８】デフォルト表示画面に設定した後で、本実施の形態に係る複合機１の表示画面１ａ１に表示されるカラー印刷／白黒印刷毎の紙の印字枚数を含むレディ画面の一例を示す模式図である。
【図１９】デフォルト表示画面に設定した後で、本実施の形態に係る複合機１の表示画面１ａ１に表示される消耗品に関する情報及び情報記録材に関する情報をいずれも含まないコンテンツ無し画面の一例を示す模式図である。
【図２０】デフォルト表示画面に設定した後で、本実施の形態に係る複合機１の表示画面１ａ１に表示される消耗品に関する情報及び情報記録材に関する情報を含むレディ画面の一例を示す模式図である。
【符号の説明】
【０２２３】
１…複合機、１ａ…パネル部、１ｂ…インターフェース部、１ｃY、１ｃM、１ｃC、１ｃK…トナー残量検出部、１ｄ１〜１ｄｎ…給紙段別カウンタ、１ｅ１〜１ｎ…給紙段別紙残量検出部、１ｆ…トナー残量記憶部、１ｇ…給紙段別使用枚数記憶部、１ｈ…給紙段別残量記憶部、１ｉ…ジョブ履歴データ記憶部、１ｊ…部門情報記憶部、１ｋ…給紙段データ記憶部、１ｌ…テンプレートファイル記憶部、１ｍ…画像生成部、１ｎ…プリンターエンジン部、１ｏ…制御部
【図１】
0004456621.tif 000002
【図２】
0004456621.tif 000003
【図３Ａ】
0004456621.tif 000004
【図３Ｂ】
0004456621.tif 000005
【図４】
0004456621.tif 000006
【図５】
0004456621.tif 000007
【図６】
0004456621.tif 000008
【図７】
0004456621.tif 000009
【図８】
0004456621.tif 000010
【図９】
0004456621.tif 000011
【図１０】
0004456621.tif 000012
【図１１】
0004456621.tif 000013
【図１２】
0004456621.tif 000014
【図１３】
0004456621.tif 000015
【図１４】
0004456621.tif 000016
【図１５】
0004456621.tif 000017
【図１６】
0004456621.tif 000018
【図１７】
0004456621.tif 000019
【図１８】
0004456621.tif 000020
【図１９】
0004456621.tif 000021
【図２０】
0004456621.tif 000022